(57)【要約】【課題】テレビ画像を見ていても、他台での大当りに関する情報をリアルタイムに知ることが可能な遊技用システムを提供する。【解決手段】複数台のパチンコ遊技機１のいずれかで特定遊技状態が発生したときに、当該特定遊技状態が発生した以外のパチンコ遊技機１に対応して設けられた台間機２へ当該特定遊技状態の情報を示す遊技情報信号を送信し、台間機２に設けられた表示部３に、画像配信装置４００からの画像信号に基づく画像とともに当該遊技情報信号に基づいて生成された画像を表示させる。【選択図】        図３
2004275600.tif 000002
【特許請求の範囲】
【請求項１】
変動表示を行なった後、表示結果を導出する変動表示装置を有し、前記表示結果が予め定められた特定の表示態様となったときに遊技者にとって有利な特定遊技状態となる遊技機が複数台設置された遊技場における遊技用システムであって、
前記複数台の遊技機にそれぞれ対応して設けられた複数台の表示装置と、
所定画像を表示させるための画像信号を前記複数台の表示装置に配信する画像配信手段と、
前記複数台の遊技機のいずれかで前記特定遊技状態が発生したときに、前記特定遊技状態の発生および前記特定遊技状態が発生した遊技機の設置位置を示す特定遊技状態情報を、前記特定遊技状態が発生した遊技機以外に対応して設けられた前記複数台の表示装置の一部に出力する情報制御手段とを含み、
前記複数台の表示装置の各々は、
前記画像配信手段により配信される前記画像信号を入力する画像信号入力手段と、
前記所定画像を表示する表示手段と、
前記画像信号入力手段に入力された画像信号に基づいた前記所定画像を前記表示手段に表示させる制御を行なう表示制御手段と、
前記情報制御手段により出力される前記特定遊技状態情報を入力する情報入力手段とを含み、
前記表示制御手段は、前記情報入力手段に入力された前記特定遊技状態情報に基づいて、前記所定画像とともに、前記特定遊技状態情報に対応する特定遊技状態画像を前記表示手段に表示させる制御を行なうことを特徴とする、遊技用システム。
【請求項２】
前記情報制御手段は、
前記複数台の遊技機のいずれかが、前記特定遊技状態が発生してから前記変動表示装置による前記変動表示が所定回数行なわれるまでの間に、発生した次の特定遊技状態を第１の連チャンと判定する第１の連チャン判定手段と、
前記第１の連チャン判定手段により前記第１の連チャンと判定された際に、前記第１の連チャンと判定された遊技機を対象として、前記第１の連チャンの継続回数を集計する第１の継続回数集計手段とを含み、
前記情報制御手段は、前記第１の継続回数集計手段により集計された前記第１の連チャンの継続回数を示す第１の継続回数情報を、前記第１の連チャンと判定された遊技機以外に対応して設けられた前記複数台の表示装置の一部へさらに出力し、
前記情報入力手段は、前記情報制御手段により出力される前記第１の継続回数情報をさらに入力し、
前記表示制御手段は、前記情報入力手段に入力された前記第１の継続回数情報に基づいて、前記所定画像とともに、前記第１の継続回数情報により示される前記第１の連チャンの継続回数を示す第１の継続回数画像を前記表示手段に表示させる制御を行なうことを特徴とする、請求項１に記載の遊技用システム。
【請求項３】
前記情報制御手段は、
前記複数台の遊技機のいずれかが、前記特定遊技状態とは異なる遊技状態であって、所定の通常遊技状態よりも遊技者にとっての有利度合いが高い特別遊技状態となっている間に、発生した前記特定遊技状態を第２の連チャンと判定する第２の連チャン判定手段と、
前記第２の連チャン判定手段により前記第２の連チャンと判定された際に、前記第２の連チャンと判定された遊技機を対象として、前記第２の連チャンの継続回数を集計する第２の継続回数集計手段とを含み、
前記情報制御手段は、前記第２の継続回数集計手段により集計された前記第２の連チャンの継続回数を示す第２の継続回数情報を、前記第２の連チャンと判定された遊技機以外に対応して設けられた前記複数台の表示装置の一部へさらに出力し、
前記情報入力手段は、前記情報制御手段により出力される前記第２の継続回数情報をさらに入力し、
前記表示制御手段は、前記情報入力手段に入力された前記第２の継続回数情報に基づいて、前記所定画像とともに、前記第２の継続回数情報により示される前記第２の連チャンの継続回数を示す第２の継続回数画像を前記表示手段に表示させる制御を行なうことを特徴とする、請求項１に記載の遊技用システム。
【請求項４】
前記情報制御手段は、遊技場の宣伝広告を示す宣伝情報をさらに出力し、
前記情報入力手段は、前記情報制御手段により出力される前記宣伝情報をさらに入力し、
前記表示制御手段は、前記情報入力手段に入力された前記宣伝情報に基づいて、前記所定画像とともに、前記宣伝情報に対応する宣伝画像を前記表示手段に表示させる制御を行なうことを特徴とする、請求項１〜請求項３のいずれかに記載の遊技用システム。
【請求項５】
前記複数台の遊技機の各々は、
遊技領域へ遊技媒体を発射させる操作を検出する発射操作検出手段と、
前記操作により発射された前記遊技媒体を検出する遊技媒体検出手段とを含み、
前記情報入力手段は、前記発射操作検出手段が前記操作を検出していることを示す発射操作検出情報および前記遊技媒体検出手段が前記遊技媒体を検出していることを示す遊技媒体検出情報をさらに入力し、
前記複数台の表示装置の各々は、
前記情報入力手段へ前記発射操作検出情報が入力されているときに、前記遊技媒体検出情報が前記情報入力手段へ入力されているか否かを判定する入力判定手段をさらに含み、
前記表示制御手段は、前記入力判定手段により前記発射操作検出情報が入力されているときに前記遊技媒体検出情報が入力されていないと判定されたことに基づいて、前記所定画像とともに、前記遊技媒体が不足している旨を示す遊技媒体不足画像を前記表示手段に表示させる制御を行なうことを特徴とする、請求項１〜請求項４のいずれかに記載の遊技用システム。
【請求項６】
変動表示を行なった後、表示結果を導出する変動表示装置を有し、前記表示結果が予め定められた特定の表示態様となったときに遊技者にとって有利な特定遊技状態となる遊技機が複数台設置された遊技場における遊技用システムであって、
前記複数台の遊技機にそれぞれ対応して設けられた複数台の表示装置と、
前記複数台の表示装置と前記複数台の遊技機での遊技に関連して発生する遊技用関連情報の授受を行なう情報制御手段と、
所定画像を表示させるための画像信号を前記情報制御手段に配信する画像配信手段とを含み、
前記情報制御手段は、
前記画像配信手段により配信される前記画像信号を入力する画像信号入力手段と、
前記複数台の遊技機のいずれかで前記特定遊技状態が発生したときに、前記特定遊技状態の発生および前記特定遊技状態が発生した遊技機の設置位置を示す特定遊技状態情報に基づいた特定遊技状態画像を生成する画像データ生成手段と、
前記画像信号入力手段に入力された前記画像信号に基づく前記所定画像と前記画像データ生成手段により生成された前記特定遊技状態画像とを合成した情報合成画像を生成する画像合成手段と、
前記複数台の遊技機のいずれかで前記特定遊技状態が発生していないときに、前記画像信号入力手段に入力された前記画像信号を複数台の表示装置へ出力する一方で、前記複数台の遊技機のいずれかで前記特定遊技状態が発生したときに、前記画像合成手段により生成された前記情報合成画像に基づいた情報合成画像信号を、前記特定遊技状態が発生した遊技機以外に対応して設けられた複数台の表示装置の一部に出力する画像信号出力手段とを含み、
前記複数台の表示装置の各々は、
前記画像信号出力手段により配信される前記画像信号または前記情報合成画像信号を入力する情報合成画像信号入力手段と、
前記情報合成画像または所定画像を表示する表示手段と、
前記情報合成画像信号入力手段に入力された前記情報合成画像信号に基づいた前記情報合成画像または前記画像信号に基づいた前記所定画像を前記表示手段に表示させる制御を行なう表示制御手段とを含むことを特徴とする、遊技用システム。
【請求項７】
前記情報制御手段は、
前記複数台の遊技機のいずれかが、前記特定遊技状態が発生してから前記変動表示装置による前記変動表示が所定回数行なわれるまでの間に、発生した次の特定遊技状態を第１の連チャンと判定する第１の連チャン判定手段と、
前記第１の連チャン判定手段により前記第１の連チャンであると判定された際に、前記第１の連チャンと判定された遊技機を対象として、前記第１の連チャンの継続回数を集計する第１の継続回数集計手段とをさらに含み、
前記画像データ生成手段は、前記第１の継続回数集計手段により集計された前記第１の連チャンの継続回数を示す第１の継続回数情報に基づいた第１の継続回数画像を生成し、
前記画像合成手段は、前記所定画像と前記第１の継続回数画像とを合成した第１の継続回数合成画像を生成し、
前記画像信号出力手段は、前記複数台の遊技機のいずれかで前記第１の連チャンが発生したときに、前記第１の継続回数合成画像に基づいた第１の情報合成画像信号を、前記第１の連チャンと判定された遊技機以外に対応して設けられた前記複数台の表示装置の一部へ出力し、
前記情報合成画像信号入力手段は、前記画像信号出力手段により出力される前記第１の情報合成画像信号を入力し、
前記表示制御手段は、前記情報合成画像信号入力手段に入力された前記第１の情報合成画像信号に基づいた前記第１の継続回数合成画像を前記表示手段に表示させる制御を行なうことを特徴とする、請求項６に記載の遊技用システム。
【請求項８】
前記情報制御手段は、
前記複数台の遊技機のいずれかが、前記特定遊技状態とは異なる遊技状態であって、所定の通常遊技状態よりも遊技者にとっての有利度合いが高い特別遊技状態となっている間に、発生した前記特定遊技状態を第２の連チャンと判定する第２の連チャン判定手段と、
前記第２の連チャン判定手段により前記第２の連チャンであると判定された際に、前記第２の連チャンと判定された遊技機を対象として、前記第２の連チャンの継続回数を集計する第２の継続回数集計手段とを含み、
前記画像データ生成手段は、前記第２の継続回数集計手段により集計された前記第２の連チャンの継続回数を示す第２の継続回数情報に基づいた第２の継続回数画像を生成し、
前記画像合成手段は、前記所定画像と前記第２の継続回数画像とを合成した第２の継続回数合成画像を生成し、
前記画像信号出力手段は、前記複数台の遊技機のいずれかで前記第２の連チャンが発生したときに、前記第２の継続回数合成画像に基づいた第２の情報合成画像信号を、前記第２の連チャンと判定された遊技機以外に対応して設けられた前記複数台の表示装置の一部へ出力し、
前記情報合成画像信号入力手段は、前記画像信号出力手段により出力される前記第２の情報合成画像信号を入力し、
前記表示制御手段は、前記情報合成画像信号入力手段に入力された前記第２の情報合成画像信号に基づいた前記第２の継続回数合成画像を前記表示手段に表示させる制御を行なうことを特徴とする、請求項６に記載の遊技用システム。
【請求項９】
遊技場の宣伝広告を示す宣伝情報を遊技者に伝えるとき、
前記画像データ生成手段は、前記宣伝情報に基づいた宣伝画像を生成し、
前記画像合成手段は、前記所定画像と前記宣伝画像とを合成した宣伝合成画像を生成し、
前記画像信号出力手段は、前記宣伝合成画像に基づいた第３の情報合成画像信号を複数台の表示装置へ出力し、
前記情報合成画像信号入力手段は、前記画像信号出力手段により出力される前記第３の情報合成画像信号を入力し、
前記表示制御手段は、前記情報合成画像信号入力手段に入力された前記第３の情報合成画像信号に基づいた前記宣伝合成画像を前記表示手段に表示させる制御を行なうことを特徴とする、請求項６〜請求項８のいずれかに記載の遊技用システム。
【請求項１０】
前記複数台の遊技機の各々は、
遊技領域へ遊技媒体を発射させる操作を検出する発射操作検出手段と、
前記操作により発射された前記遊技媒体を検出する遊技媒体検出手段とを含み、
前記情報制御手段は、
前記複数台の遊技機の各々から、前記発射操作検出手段が前記操作を検出していることを示す発射操作検出情報および遊技媒体検出手段が前記遊技媒体を検出していることを示す遊技媒体検出情報を入力する情報入力手段と、
前記情報入力手段へ前記発射操作検出情報が入力されているときに、前記発射操作検出情報の出力元である遊技機から前記遊技媒体検出情報が前記情報入力手段へ入力されているか否かを判定する入力判定手段とをさらに含み、
前記画像データ生成手段は、前記入力判定手段により前記情報入力手段へ前記発射操作検出情報が入力されているときに前記発射操作検出情報の出力元である遊技機から前記遊技媒体検出情報が前記情報入力手段へ入力されていないと判定されたことに基づいて、前記遊技媒体が不足している旨を示す遊技媒体不足画像を生成し、
前記画像合成手段は、前記所定画像と前記遊技媒体不足画像とを合成した遊技媒体不足合成画像を生成し、
前記画像信号出力手段は、前記遊技媒体不足合成画像を表示するための第４の情報合成画像信号を、前記発射操作検出情報が入力されているときに前記遊技媒体検出情報が入力されていないと前記入力判定手段により判定された遊技機に対応して設けられた表示装置へ出力し、
前記情報合成画像信号入力手段は、前記画像信号出力手段により出力される前記第４の情報合成画像信号を入力し、
前記表示制御手段は、前記情報合成画像信号入力手段に入力された前記第４の情報合成画像信号に基づいた前記遊技媒体不足合成画像を前記表示手段に表示させる制御を行なうことを特徴とする、請求項６〜請求項９のいずれかに記載の遊技用システム。
【発明の詳細な説明】
【０００１】
【発明の属する技術分野】
本発明は、変動表示を行なった後、表示結果を導出する変動表示装置を有し、前記表示結果が予め定められた特定の表示態様となったときに遊技者にとって有利な特定遊技状態となる遊技機が複数台設置された遊技場における遊技用システムに関する。
【０００２】
【従来の技術】
この種の遊技用システムとして従来から一般的に知られているものに、たとえば、遊技場内の遊技機間に設置された台間機（パチンコ遊技機間に設けられたカードユニットが代表的である）の各々に表示部を設け、各表示部において遊技者がテレビ中継やＶＴＲ等の画像（以下においては、テレビ画像とも称する）などを視聴できるようにしたものがある。
【０００３】
この種の遊技用システムの中には、テレビ画像の他、自台または他台の遊技に関連して発生した遊技関連情報（大当り回数、大当り確率等）を示す画像が表示部に表示されるように構成され、遊技者による操作に応じて、遊技関連情報を示す画像とテレビ画像とを選択的に切替えて表示する機能を持たせたものがある（例えば、特許文献１参照）。
【０００４】
【特許文献１】
特開２００２−３０１２５６号公報
【０００５】
【発明が解決しようとする課題】
前述した従来の遊技用システムでは、遊技者がテレビ画像を視聴していると、他台で大当りが発生し、遊技関連情報が更新されたときに、遊技者は遊技関連情報の更新に気づかないという問題があった。そのため、遊技者は、更新された遊技関連情報を知るために、わざわざテレビ画像と遊技関連情報を示す画像とを能動的に切替える必要があり不便であった。
【０００６】
この発明は、上記問題を解決するためになされたものであって、この発明の目的は、テレビ画像を見ていても、他台での大当り（何番台で大当りが発生した、何連チャンしている等）情報をリアルタイムに知ることが可能な遊技用システムを提供することである。
【０００７】
【課題を解決するための手段】
（１）  変動表示を行なった後、表示結果を導出する変動表示装置（変動表示装置１２）を有し、前記表示結果が予め定められた特定の表示態様（たとえば、「７７７」等のゾロ目）となったときに遊技者にとって有利な特定遊技状態（大当り状態）となる遊技機（パチンコ遊技機１）が複数台設置された遊技場における遊技用システムであって、
前記複数台の遊技機にそれぞれ対応して設けられた複数台の表示装置（台間機２）と、
所定画像（たとえば、テレビジョン画像５００）を表示させるための画像信号（たとえば、テレビジョン信号）を前記複数台の表示装置に配信する画像配信手段（画像配信装置４００）と、
前記複数台の遊技機のいずれかで前記特定遊技状態が発生したときに、前記特定遊技状態の発生および前記特定遊技状態が発生した遊技機の設置位置を示す特定遊技状態情報（大当り情報、台番号情報）を、前記特定遊技状態が発生した遊技機以外に対応して設けられた前記複数台の表示装置の一部に出力する情報制御手段（ホール管理コンピュータ８、Ｓ１４０）とを含み、
前記複数台の表示装置の各々は、
前記画像配信手段により配信される前記画像信号を入力する画像信号入力手段（入出力インタフェース２９）と、
前記所定画像を表示する表示手段（表示部３）と、
前記画像信号入力手段に入力された画像信号に基づいた前記所定画像を前記表示手段に表示させる制御を行なう表示制御手段（ＶＤＰ２４）と、
前記情報制御手段により出力される前記特定遊技状態情報を入力する情報入力手段（入出力インタフェース２９）とを含み、
前記表示制御手段は、前記情報入力手段に入力された前記特定遊技状態情報に基づいて、前記所定画像とともに、前記特定遊技状態情報に対応する特定遊技状態画像（たとえば、大当りを状態を示すようなアニメーション画像５１０）を前記表示手段に表示させる制御を行なう（Ｓ２８０、図５参照）。
【０００８】
このような構成によれば、複数台の遊技機のいずれかで特定遊技状態が発生したときに、該特定遊技状態が発生した遊技機以外に対応して設けられた表示装置の表示手段に、表示されている所定画像とともに特定遊技状態情報に対応する特定遊技状態画像が表示されるので、遊技者は、テレビを見ながらでも、他台の遊技機で特定遊技状態が発生したことをリアルタイムに知ることができる。
（２）  前記情報制御手段は、
前記複数台の遊技機のいずれかが、前記特定遊技状態が発生してから前記変動表示装置による前記変動表示が所定回数（たとえば、４回等）行なわれるまでの間に、発生した次の特定遊技状態を第１の連チャン（たとえば、保留玉連チャン、数珠つなぎ連チャン等）と判定する第１の連チャン判定手段（Ｓ１２５）と、
前記第１の連チャン判定手段により前記第１の連チャンと判定された際に、前記第１の連チャンと判定された遊技機を対象として、前記第１の連チャンの継続回数を集計する第１の継続回数集計手段（Ｓ１３０）とを含み、
前記情報制御手段は、前記第１の継続回数集計手段により集計された前記第１の連チャンの継続回数を示す第１の継続回数情報を、前記第１の連チャンと判定された遊技機以外に対応して設けられた前記複数台の表示装置の一部へさらに出力し（Ｓ１４０）、
前記情報入力手段は、前記情報制御手段により出力される前記第１の継続回数情報をさらに入力し（Ｓ２７０）、
前記表示制御手段は、前記情報入力手段に入力された前記第１の継続回数情報に基づいて、前記所定画像とともに、前記第１の継続回数情報により示される前記第１の連チャンの継続回数を示す第１の継続回数画像（たとえば、連チャン回数画像５１５）を前記表示手段に表示させる制御を行なう（Ｓ２８０、図５参照）。
【０００９】
このような構成によれば、第１の連チャン（たとえば、保留玉連チャン、数珠つなぎ連チャン等）と判定された遊技機以外に対応して設けられた表示装置の表示手段に、表示されている所定画像とともに第１の継続回数情報により示される第１の連チャンの継続回数を示す第１の継続回数画像が表示されるので、遊技者は、テレビを見ながらでも、他台の遊技機で発生した第１の連チャンの継続回数をリアルタイムに知ることができる。
【００１０】
（３）  前記情報制御手段は、
前記複数台の遊技機のいずれかが、前記特定遊技状態とは異なる遊技状態であって、所定の通常遊技状態よりも遊技者にとっての有利度合いが高い特別遊技状態（たとえば、確率変動状態、変動時間短縮状態等）となっている間に、発生した前記特定遊技状態を第２の連チャン（たとえば、確率変動状態中に発生した大当り、変動時間短縮状態中に発生した大当り等）と判定する第２の連チャン判定手段（Ｓ１２５）と、
前記第２の連チャン判定手段により前記第２の連チャンと判定された際に、前記第２の連チャンと判定された遊技機を対象として、前記第２の連チャンの継続回数を集計する第２の継続回数集計手段（Ｓ１３０）とを含み、
前記情報制御手段は、前記第２の継続回数集計手段により集計された前記第２の連チャンの継続回数を示す第２の継続回数情報を、前記第２の連チャンと判定された遊技機以外に対応して設けられた前記複数台の表示装置の一部へさらに出力し（Ｓ１４０）、
前記情報入力手段は、前記情報制御手段により出力される前記第２の継続回数情報をさらに入力し（Ｓ２７０）、
前記表示制御手段は、前記情報入力手段に入力された前記第２の継続回数情報に基づいて、前記所定画像とともに、前記第２の継続回数情報により示される前記第２の連チャンの継続回数を示す第２の継続回数画像（たとえば、連チャン回数画像５１５）を前記表示手段に表示させる制御を行なう（Ｓ２８０、図５参照）。
【００１１】
このような構成によれば、第２の連チャン（たとえば、確率変動状態中に発生した大当り、変動時間短縮状態中に発生した大当り等）と判定された遊技機以外に対応して設けられた表示装置の表示手段に、表示されている所定画像とともに第２の継続回数情報により示される第２の連チャンの継続回数を示す第２の継続回数画像が表示されるので、遊技者は、テレビを見ながらでも、他台の遊技機で発生した第２の連チャンの継続回数をリアルタイムに知ることができる。
【００１２】
（４）  前記情報制御手段は、遊技場の宣伝広告を示す宣伝情報をさらに出力し（Ｓ１６０）、
前記情報入力手段は、前記情報制御手段により出力される前記宣伝情報をさらに入力し（Ｓ２２０）、
前記表示制御手段は、前記情報入力手段に入力された前記宣伝情報に基づいて、前記所定画像とともに、前記宣伝情報に対応する宣伝画像（宣伝情報画像５１７）を前記表示手段に表示させる制御を行なう（Ｓ２３０、図６参照）。
【００１３】
このような構成によれば、遊技場の宣伝広告を示す宣伝情報が出力されたときに、表示手段に表示されている所定画像とともに情報制御手段が出力する宣伝情報に対応する宣伝画像が表示されるので、遊技者は、テレビを見ながらでも、遊技場の宣伝広告をリアルタイムに知ることができる。
【００１４】
（５）  前記複数台の遊技機の各々は、
遊技領域へ遊技媒体（パチンコ玉）を発射させる操作を検出する発射操作検出手段（発射操作検出センサ６１０、Ｓ２４０）と、
前記操作により発射された前記遊技媒体を検出する遊技媒体検出手段（玉検出センサ６００、Ｓ２５０）とを含み、
前記情報入力手段は、前記発射操作検出手段が前記操作を検出していることを示す発射操作検出情報（発射操作検出信号）および前記遊技媒体検出手段が前記遊技媒体を検出していることを示す遊技媒体検出情報（発射玉検出信号）をさらに入力し、
前記複数台の表示装置の各々は、
前記情報入力手段へ前記発射操作検出情報が入力されているときに、前記遊技媒体検出情報が前記情報入力手段へ入力されているか否かを判定する入力判定手段（ＣＰＵ２１、Ｓ２４０およびＳ２５０）をさらに含み、
前記表示制御手段は、前記入力判定手段により前記発射操作検出情報が入力されているときに前記遊技媒体検出情報が入力されていないと判定されたことに基づいて、前記所定画像とともに、前記遊技媒体が不足している旨を示す遊技媒体不足画像（玉切れ画像５３０）を前記表示手段に表示させる制御を行なう（Ｓ２６０、図７を参照）。
【００１５】
このような構成によれば、入力判定手段により遊技媒体情報が情報入力手段に入力されていないという判定に基づいて、表示手段に表示されている所定画像とともに遊技媒体が不足している旨を示す画像が表示されるので、遊技者は、テレビを見ながらでも、遊技領域へ遊技媒体が発射されていないということを知ることができる。
【００１６】
（６）  変動表示を行なった後、表示結果を導出する変動表示装置（変動表示装置１２）を有し、前記表示結果が予め定められた特定の表示態様（たとえば、「７７７」等のゾロ目）となったときに遊技者にとって有利な特定遊技状態（大当り状態）となる遊技機（パチンコ遊技機１）が複数台設置された遊技場における遊技用システムであって、
前記複数台の遊技機にそれぞれ対応して設けられた複数台の表示装置（台間機２）と、
前記複数台の表示装置と前記複数台の遊技機での遊技に関連して発生する遊技用関連情報の授受を行なう情報制御手段（ホール管理コンピュータ８）と、
所定画像（たとえば、テレビジョン画像５００）を表示させるための画像信号（たとえば、テレビジョン信号）を前記情報制御手段に配信する画像配信手段（画像配信装置４００）とを含み、
前記情報制御手段は、
前記画像配信手段により配信される前記画像信号を入力する画像信号入力手段（入出力インタフェース８４）と、
前記複数台の遊技機のいずれかで前記特定遊技状態が発生したときに、前記特定遊技状態の発生および前記特定遊技状態が発生した遊技機の設置位置を示す特定遊技状態情報に基づいた特定遊技状態画像（たとえば、大当りを状態を示すようなアニメーション画像５１０）を生成する画像データ生成手段（ＶＤＰ８０１、Ｓ３４０）と、
前記画像信号入力手段に入力された前記画像信号に基づく前記所定画像と前記画像データ生成手段により生成された前記特定遊技状態画像とを合成した情報合成画像（テレビジョン画像５００とアニメーション画像５１０との合成画像、図５参照）を生成する画像合成手段（ＶＤＰ８０１、Ｓ３５０）と、
前記複数台の遊技機のいずれかで前記特定遊技状態が発生していないときに、前記画像信号入力手段に入力された前記画像信号を複数台の表示装置へ出力する一方で、前記複数台の遊技機のいずれかで前記特定遊技状態が発生したときに、前記画像合成手段により生成された前記情報合成画像に基づいた情報合成画像信号を、前記特定遊技状態が発生した遊技機以外に対応して設けられた複数台の表示装置の一部に出力する画像信号出力手段（ＣＰＵ８１および入出力インタフェース８４、Ｓ３６０）とを含み、
前記複数台の表示装置の各々は、
前記画像信号出力手段により配信される前記画像信号または前記情報合成画像信号を入力する情報合成画像信号入力手段（入出力インタフェース２９）と、前記情報合成画像または所定画像を表示する表示手段（表示部３、Ｓ４１０）と、
前記情報合成画像信号入力手段に入力された前記情報合成画像信号に基づいた前記情報合成画像または前記画像信号に基づいた前記所定画像を前記表示手段に表示させる制御を行なう表示制御手段（ＶＤＰ２４）とを含む。
【００１７】
このような構成によれば、複数台の遊技機のいずれかで特定遊技状態が発生したときに、該特定遊技状態が発生した遊技機以外に対応して設けられた表示装置の表示手段に、所定画像と特定遊技状態情報に対応する特定遊技状態画像との合成画像が表示されるので、遊技者は、テレビを見ながらでも、他台の遊技機で特定遊技状態が発生したことをリアルタイムに知ることができる。
【００１８】
（７）  前記情報制御手段は、
前記複数台の遊技機のいずれかが、前記特定遊技状態が発生してから前記変動表示装置による前記変動表示が所定回数（たとえば、４回等）行なわれるまでの間に、発生した次の特定遊技状態を第１の連チャン（たとえば、保留玉連チャン、数珠つなぎ連チャン等）と判定する第１の連チャン判定手段（ＣＰＵ８１、Ｓ３２５）と、
前記第１の連チャン判定手段により前記第１の連チャンであると判定された際に、前記第１の連チャンと判定された遊技機を対象として、前記第１の連チャンの継続回数を集計する第１の継続回数集計手段（ＣＰＵ８１、Ｓ３３０）とをさらに含み、
前記画像データ生成手段は、前記第１の継続回数集計手段により集計された前記第１の連チャンの継続回数を示す第１の継続回数情報に基づいた第１の継続回数画像（たとえば、連チャン回数画像５１５）を生成し（Ｓ３４０）、
前記画像合成手段は、前記所定画像と前記第１の継続回数画像とを合成した第１の継続回数合成画像（テレビジョン画像５００と連チャン回数画像５１５との合成画像、図５参照）を生成し（Ｓ３５０）、
前記画像信号出力手段は、前記複数台の遊技機のいずれかで前記第１の連チャンが発生したときに、前記第１の継続回数合成画像に基づいた第１の情報合成画像信号を、前記第１の連チャンと判定された遊技機以外に対応して設けられた前記複数台の表示装置の一部へ出力し（Ｓ３６０）、
前記情報合成画像信号入力手段は、前記画像信号出力手段により出力される前記第１の情報合成画像信号を入力し（Ｓ４００）、
前記表示制御手段は、前記情報合成画像信号入力手段に入力された前記第１の情報合成画像信号に基づいた前記第１の継続回数合成画像を前記表示手段に表示させる制御を行なう（Ｓ４１０）。
【００１９】
このような構成によれば、第１の連チャン（たとえば、保留玉連チャン、数珠つなぎ連チャン等）と判定された遊技機以外に対応して設けられた表示装置の表示手段に、所定画像と第１の継続回数情報により示される第１の連チャンの継続回数を示す継続回数画像との合成画像が表示されるので、遊技者は、テレビを見ながらでも、他台の遊技機で発生した第１の連チャンの継続回数をリアルタイムに知ることができる。
【００２０】
（８）  前記情報制御手段は、
前記複数台の遊技機のいずれかが、前記特定遊技状態とは異なる遊技状態であって、所定の通常遊技状態よりも遊技者にとっての有利度合いが高い特別遊技状態（たとえば、確率変動状態、変動時間短縮状態等）となっている間に、発生した前記特定遊技状態を第２の連チャン（たとえば、確率変動状態中に発生した大当り、変動時間短縮状態中に発生した大当り等）と判定する第２の連チャン判定手段（ＣＰＵ８１、Ｓ３２５）と、
前記第２の連チャン判定手段により前記第２の連チャンであると判定された際に、前記第２の連チャンと判定された遊技機を対象として、前記第２の連チャンの継続回数を集計する第２の継続回数集計手段（ＣＰＵ８１、Ｓ３３０）とを含み、
前記画像データ生成手段は、前記第２の継続回数集計手段により集計された前記第２の連チャンの継続回数を示す第２の継続回数情報に基づいた第２の継続回数画像（たとえば、連チャン回数画像５１５）を生成し（Ｓ３４０）、
前記画像合成手段は、前記所定画像と前記第２の継続回数画像とを合成した第２の継続回数合成画像（テレビジョン画像５００と連チャン回数画像５１５との合成画像、図５参照）を生成し（Ｓ３５０）、
前記画像信号出力手段は、前記複数台の遊技機のいずれかで前記第２の連チャンが発生したときに、前記第２の継続回数合成画像に基づいた第２の情報合成画像信号を、前記第２の連チャンと判定された遊技機以外に対応して設けられた前記複数台の表示装置の一部へ出力し（Ｓ３６０）、
前記情報合成画像信号入力手段は、前記画像信号出力手段により出力される前記第２の情報合成画像信号を入力し（Ｓ４００）、
前記表示制御手段は、前記情報合成画像信号入力手段に入力された前記第２の情報合成画像信号に基づいた前記第２の継続回数合成画像を前記表示手段に表示させる制御を行なう（Ｓ４１０）。
【００２１】
このような構成によれば、第２の連チャン（たとえば、確率変動状態中に発生した大当り、変動時間短縮状態中に発生した大当り等）と判定された遊技機以外に対応して設けられた表示装置の表示手段に、所定画像と第２の継続回数情報により示される第２の連チャンの継続回数を示す継続回数画像との合成画像が表示されるので、遊技者は、テレビを見ながらでも、他台の遊技機で発生した第２の連チャンの継続回数をリアルタイムに知ることができる。
【００２２】
（９）  遊技場の宣伝広告を示す宣伝情報を遊技者に伝えるとき、
前記画像データ生成手段は、前記宣伝情報に基づいた宣伝画像（宣伝情報画像５１７）を生成し（Ｓ３８０）、
前記画像合成手段は、前記所定画像と前記宣伝画像とを合成した宣伝合成画像（テレビジョン画像５００と宣伝情報画像５１７との合成画像、図６参照）を生成し（Ｓ３９０）、
前記画像信号出力手段は、前記宣伝合成画像に基づいた第３の情報合成画像信号を複数台の表示装置へ出力し（Ｓ３９５）、
前記情報合成画像信号入力手段は、前記画像信号出力手段により出力される前記第３の情報合成画像信号を入力し（Ｓ４００）、
前記表示制御手段は、前記情報合成画像信号入力手段に入力された前記第３の情報合成画像信号に基づいた前記宣伝合成画像を前記表示手段に表示させる制御を行なう（Ｓ４１０）。
【００２３】
このような構成によれば、遊技場の宣伝広告を示す宣伝情報が出力されたときに、表示手段に所定画像と宣伝情報に対応する宣伝画像との合成画像が表示されるので、遊技者は、テレビを見ながらでも、遊技場の宣伝広告をリアルタイムに知ることができる。
【００２４】
（１０）  前記複数台の遊技機の各々は、
遊技領域へ遊技媒体（パチンコ玉）を発射させる操作を検出する発射操作検出手段（発射操作検出センサ６１０、Ｓ３７１）と、
前記操作により発射された前記遊技媒体を検出する遊技媒体検出手段（玉検出センサ６００、Ｓ３７２）とを含み、
前記情報制御手段は、
前記複数台の遊技機の各々から、前記発射操作検出手段が前記操作を検出していることを示す発射操作検出情報および遊技媒体検出手段が前記遊技媒体を検出していることを示す遊技媒体検出情報を入力する情報入力手段（入出力インタフェース８４）と、
前記情報入力手段へ前記発射操作検出情報が入力されているときに、前記発射操作検出情報の出力元である遊技機から前記遊技媒体検出情報が前記情報入力手段へ入力されているか否かを判定する入力判定手段（ＣＰＵ８１、Ｓ３７１、Ｓ３７２）とをさらに含み、
前記画像データ生成手段は、前記入力判定手段により前記情報入力手段へ前記発射操作検出情報が入力されているときに前記発射操作検出情報の出力元である遊技機から前記遊技媒体検出情報が前記情報入力手段へ入力されていないと判定されたことに基づいて、前記遊技媒体が不足している旨を示す遊技媒体不足画像（玉切れ画像５３０）を生成し（Ｓ３７３）、
前記画像合成手段は、前記所定画像と前記遊技媒体不足画像とを合成した遊技媒体不足合成画像（テレビジョン画像５００と玉切れ画像５３０との合成画像、図７参照）を生成し（Ｓ３７４）、
前記画像信号出力手段は、前記遊技媒体不足合成画像を表示するための第４の情報合成画像信号を、前記発射操作検出情報が入力されているときに前記遊技媒体検出情報が入力されていないと前記入力判定手段により判定された遊技機に対応して設けられた表示装置へ出力し（３７５）、
前記情報合成画像信号入力手段は、前記画像信号出力手段により出力される前記第４の情報合成画像信号を入力し（Ｓ４００）、
前記表示制御手段は、前記情報合成画像信号入力手段に入力された前記第４の情報合成画像信号に基づいた前記遊技媒体不足合成画像を前記表示手段に表示させる制御を行なう（Ｓ４１０）。
【００２５】
このような構成によれば、入力判定手段により遊技媒体情報が情報入力手段に入力されていないという判定に基づいて、表示手段に所定画像と遊技媒体が不足している旨を示す遊技媒体不足合成画像との合成画像が表示されるので、遊技者は、テレビを見ながらでも、遊技領域へ遊技媒体が発射されていないということを知ることができる。
【００２６】
【発明の実施の形態】
以下に、本発明の実施の形態を図面に基づいて詳細に説明する。なお、本実施の形態では、遊技用装置の一例として台間機をとり上げて説明するが、本発明はこれに限らず、たとえば、呼出しランプ装置等のその他の遊技用装置であってもよく、遊技機での遊技に関連して発生した情報としての遊技関連情報を示す画像を表示する遊技機に対して設けられている遊技用装置であれば、すべてに適用可能である。また、本実施の形態による遊技用装置に対応して設けられる遊技機としては、一例としてパチンコ遊技機を説明するが、これに限らず、対応する遊技機としては、スロットマシン等のその他の遊技機であってもよい。
【００２７】
［実施の形態１］
図１は、本発明に係る遊技用装置が設けられている遊技場内における遊技用システム１０００の構成を示す概念図である。
【００２８】
図１を参照して、実施の形態１における遊技用システム１０００は、複数台のパチンコ遊技機１が並べて配置される遊技機設置島１００を含む。
【００２９】
各パチンコ遊技機１の向かって左側には、玉貸装置としての台間機２（「カードユニット」ともいう）が設置されている。台間機２は、遊技者が遊技を行なう際に必要なカード残高を記録した遊技用カードの読取りを行なう。そして、台間機２は、遊技用カードのカード残高の読取りにより、当該カード残高の引落金額に応じた貸玉としてのパチンコ玉（遊技媒体）をパチンコ遊技機１へ払出す。それにより、遊技者は、パチンコ遊技機１で遊技を行なうことが可能となる。
【００３０】
台間機２は、さらに、パチンコ遊技機１での遊技に関連して発生した情報としての各種遊技関連情報を表示する機能を有する。当該遊技関連情報は、遊技機での遊技に関連して発生した情報であればすべての情報を含むものである。たとえば、この遊技関連情報には、パチンコ遊技機１で実行された大当り回数等の遊技の情報を示す遊技データ等の遊技に関連する各種データが含まれている。
【００３１】
また、遊技機設置島１００において、各パチンコ遊技機１の上方部分には、呼出装置４が設けられている。呼出装置４は、係員を呼出す場合に遊技者の操作に基づいて動作するためのものである。
【００３２】
遊技用システム１０００は、さらに、画像配信装置４００と、ホール管理コンピュータ８とを含む。
【００３３】
実施の形態１における画像配信装置４００は、テレビ放送局、ケーブルテレビ局、放送衛星、通信衛星またはインターネット等から受信したテレビ画像またはビデオ、ＤＶＤ（Ｄｉｇｉｔａｌ  Ｖｅｒｓａｔｉｌｅ  Ｄｉｓｃ）等で再生した画像等を表示させるための画像信号を遊技機設置島１００内の各台間機２へ配信する。
【００３４】
詳細は後述するが、ホール管理コンピュータ８は、遊技機設置島１００内の複数台の台間機２と情報の授受を行なう島管理コンピュータ（図示せず）を介して、各台間機２からパチンコ遊技機１の遊技状態を示す遊技状態信号を受信し、各パチンコ遊技機１の状態（たとえば、遊技機設置島１００内の複数台のパチンコ遊技機１のいずれで大当りが発生したか否か等）を管理している。ホール管理コンピュータ８は、さらに、島管理コンピュータを介して入力される遊技状態信号に基づいて、各台間機２へ遊技情報信号を送信する。ホール管理コンピュータ８は、さらに、島管理コンピュータを介して、遊技場の宣伝広告、遊技者に対するお知らせ等を含む宣伝情報信号を遊技機設置島１００内の各台間機２へ送信する。なお、ホール管理コンピュータ８は、島管理コンピュータを介することなく、各台間機２と上述の信号の授受を行なってもよい。
【００３５】
図２は、実施の形態１における遊技用装置の一例としての台間機２および遊技機の一例としてのパチンコ遊技機１の正面図である。
【００３６】
台間機２は、画像配信装置４００から配信される画像信号に基づいたテレビ画像やパチンコ遊技機１の遊技状態を示す情報画像を表示する表示部３が設けられる。遊技者は、表示部３でテレビ画像を視聴したり、他台や自台の遊技関連情報を示す画像をみることができる。なお、表示部３は、一般的には、液晶ディスプレイが用いられるが、ＣＲＴ（Ｃａｔｈｏｄｅ  Ｒａｙ  Ｔｕｂｅ）、ＦＥＤ（Ｆｉｅｌｄ  Ｅｍｉｓｓｉｏｎ  Ｄｉｓｐｌａｙ）、ＰＤＰ（Ｐｌａｓｍａ  Ｄｉｓｐｌａｙ  Ｐａｎｅｌ）、有機ＥＬディスプレイ（Ｏｒｇａｎｉｃ  Ｅｌｅｃｔｒｏｌｕｍｉｎｅｓｃｅｎｃｅ  Ｄｉｓｐｌａｙ）、ドットマトリクス等その他の画像表示方式の表示機器であってもよい。
【００３７】
パチンコ遊技機１において、遊技者が遊技を行なう場合には、遊技に使用可能な遊技用カードを用いる。遊技用カードには、遊技場において会員として登録された遊技者に対して個別に発行された会員カードと、すべての遊技者が利用できるビジターカードとの２種類がある。
【００３８】
会員カードは、ＩＣ（Ｉｎｔｅｇｒａｔｅｄ  Ｃｉｒｃｕｉｔ）が集積され、各種情報を不揮発的に記憶可能な記録媒体である。会員カードには、カード番号、遊技者の投入代金の対価としてのカード残高、出玉数情報、貯玉数情報、来店ポイント数情報、および、会員個人を特定する会員情報等の各種情報がカード情報として記録される。会員カードは、貯玉の預入れおよび再プレイの実行等の予め定められた会員の特典を享受するために使用されるカードである。
【００３９】
会員カードは、遊技場内に設けられた会員登録装置または遊技場のカウンタにおいて、会員登録をした場合に、会員登録者に対して発行される。このように登録されたカード残高、貯玉数情報、来店ポイント数情報、および、会員情報等のカード情報は、後述するホール管理コンピュータにより、遊技者の遊技履歴とともに、カード番号を用いて管理される。会員カードは、会員が所持し、原則的に、どの台間機２でも使用することができる。
【００４０】
ここで、貯玉とは、遊技者所有の持点または玉等の価値を遊技場側に預入れる行為およびその預入れられた価値をいう。貯玉数情報とは、その会員カードを所有している遊技者の貯玉の数を示す情報である。出玉とは、遊技者所有の持点または玉等を示す価値をいう。出玉数情報とは、その会員カードを所有している遊技者の出玉の数を示す情報である。また、再プレイとは、遊技者が貯玉を用いて玉貸しを受けて遊技を行なうことをいう。
【００４１】
また、来店ポイントとは、会員の遊技者が遊技場に来店するごとに所定ポイント数ずつ加算更新される数値データであり、そのポイント数に応じて、遊技場側から所定のサービスが遊技者に与えられる。この来店ポイントは、遊技者が遊技場に来店して台間機２に設けられているカード口２６ａに遊技用カードを挿入するごと（ただし、１日に複数回来店する場合は最初の来店の際の遊技用カードの挿入時のみ）に加算更新される。
【００４２】
ビジターカードは、会員カードと同様、ＩＣ（Ｉｎｔｅｇｒａｔｅｄ  Ｃｉｒｃｕｉｔ）が集積され、各種情報を不揮発的に記憶可能な記録媒体である。ビジターカードには、カード残高、および、出玉数情報等の各種情報がカード情報として記録される。ビジターカードは、遊技場内に設けられたカード販売装置または遊技場のカウンタにおいて、遊技者に対して販売される。ビジターカードは、遊技者が所持し、原則的に、どの台間機２でも使用することができる。
【００４３】
パチンコ遊技機１で遊技を行なう場合は、遊技者は、台間機２に設けられているカード口２６ａに遊技用カードを挿入する。すると、その挿入された遊技用カードに記録されているカード残高等のカード情報が台間機２の内部に設けられたカードリーダライタ（図示せず）により読取られる。そして、読取られたカード情報に基づいて、カード残高が、台間機２に設けられているカード残高表示部２８ａに表示される。カード残高表示部２８ａは、複数の７セグメント表示器より構成されている。カード残高表示部２８ａは、カード残高または貯玉数を所定の桁数でディジタル表示する。
【００４４】
台間機２には、さらに、玉貸しを受ける場合に操作する玉貸ボタン２７ａと、カード残高や出玉数等を精算して遊技用カードの返却を受ける場合に操作する精算ボタン２７ｂと、貯玉を用いて玉貸しを受ける場合、すなわち、再プレイをする場合に操作する貯玉再プレイボタン２７ｃとが設けられている。
【００４５】
玉貸ボタン２７ａが遊技者により操作されると、遊技用カードに記憶されたカード残高から、予め定められた貸出単位額分の額が引落されて減額され、それと引換えに、貸出単位額分の玉が台間機２から貸玉として払出される。その際、カード残高が、カード残高表示部２８ａに表示される。このような操作は、玉貸し操作と呼ばれる。
【００４６】
カード口２６ａに会員カードが挿入されている状態において、貯玉再プレイボタン２７ｃが遊技者により操作されれば、会員カードに貯玉数情報として記憶された貯玉数から、予め定められた貸出単位数分の玉数が引落とされて減算される。それと引換えに、貸出単位数分の玉が台間機２から貸玉として返却される。このような操作は、再プレイ操作と呼ばれる。その際、貯玉数が、カード残高表示部２８ａに表示される。
【００４７】
次に、カード残高表示部２８ａにおけるカード残高および貯玉数の表示の切替え動作について説明する。遊技用カードの挿入時には、基本的にカード残高からの玉貸モード状態となってカード残高表示部２８ａにカード残高が表示される。そして、カード残高からの玉貸モード状態において貯玉再プレイボタン２７ｃが１回操作されると、貯玉からの玉貸モード状態となってカード残高表示部２８ａに貯玉数が表示される。また、貯玉からの玉貸モード状態において玉貸ボタン２７ａが１回操作されると、貯玉からの玉貸モード状態となってカード残高表示部２８ａにカード残高が表示される。
【００４８】
カード口２６ａに会員カードが挿入されている状態において、精算ボタン２７ｂが操作されれば、その時点での出玉数、カード残高、および、貯玉数等の情報が記録された会員カードがカード口２６ａから排出されて遊技者に返却される。
【００４９】
カード口２６ａにビジターカードが挿入されている状態において、精算ボタン２７ｂが操作されれば、その時点での出玉数、および、カード残高等の情報が記録されたビジターカードがカード口２６ａから排出されて遊技者に返却される。
【００５０】
台間機２から貸玉として払出される玉は、台間機２の内部に設けられている玉払出部（図示せず）から、台間機２の前面側に設けられている玉払出用のノズル２５１を介し、パチンコ遊技機１に設けられている打球供給皿（上皿）９２上に払出される。
【００５１】
また、台間機２は、遊技用カードが適正なものであるか否かを識別する機能を有する。台間機２が遊技用カードを適正なものであると識別できなかった場合、遊技用カードがカード口２６ａから返却される。
【００５２】
パチンコ遊技機１には、玉を貯蓄するための打球供給皿９２と、遊技領域１０ａと、遊技領域１０ａへ玉（打玉とも称する）を弾発発射するための打球操作ハンドル９０と、打玉を遊技領域１０ａへ打玉を遊技領域１０ａへ導くための誘導レール６０２とが設けられる。
【００５３】
遊技においては、打球操作ハンドル９０を操作して、打球供給皿９２に貯留された打玉を弾発発射し、遊技領域１０ａに打込む。そして、遊技領域１０ａに打込まれた打玉が後述するような各種の入賞領域に入賞すれば、入賞領域別に予め定められた個数の景品玉が打球供給皿９２（上皿）に払出される。一方、いずれの入賞領域にも入賞しなかった玉は、アウト口１５からパチンコ遊技機１内部に回収される。打球供給皿９２が満タンになった場合には、その下方に設けられている余剰玉受皿（下皿）９３に玉が送られて貯留される。
【００５４】
このパチンコ遊技機１には、各台計数機５と呼ばれる遊技精算のために用いられるパチンコ玉の計数装置が各パチンコ遊技機１に対応して設けられている。各台計数機５は、パチンコ遊技機１の上方に設けられた計数表示部５５、および、パチンコ遊技機１の下方に設けられた計数用玉貯留部９４とを含む。
【００５５】
計数用玉貯留部９４は、余剰玉受皿９３の下方に設けられており、余剰玉受皿９３から排出された玉を受けて貯留することが可能な形状に構成されている。貯留玉が満杯になったこと等の理由により、余剰玉受皿９３に設けられた排出レバー９３ａが操作されると、余剰玉受皿９３に貯留されていた玉が、余剰玉受皿９３の底面の開口部から下方へ排出され、計数用玉受部９４に受けられる。
【００５６】
計数用玉受部９４には、遊技者による操作が可能な計数シャッタ９４ａが設けられている。計数シャッタ９４ａは、計数用玉貯留部９４の底部に設けられた開口部を開閉するための部材であり、一体形成されたレバー部９４ｂの操作に応じて開閉される。計数シャッタ９４ａは、通常状態において閉成されて計数用玉受部９４を玉の貯留が可能な状態にし、遊技者によってレバー部９４ａが操作された場合に開成される。計数シャッタ９４ａが開かれると、計数用玉受部９４に貯留されていた玉が、計数用玉受部９４の底部に連結されている玉排出用通路５２０に排出される。玉排出用通路５２０の入側には、計数用玉受部９４から排出された玉（以下、「獲得玉」という）を計数するために検出する通過検出用センサよりなる獲得玉検出スイッチ５０１が設けられている。
【００５７】
獲得玉検出スイッチ５０１により玉が検出され、計数されれば、複数の７セグメント表示器により構成される計数表示部５５に計数信号が送られ、当該計数信号の示す計数値がディジタル表示される。当該計数値を示す信号を計数信号とこの計数値（「出玉数」ともいう）は、遊技終了時に出玉数情報として遊技用カードに記録され、景品交換等の各種目的のために使用することが可能である。また、会員カードにおいては、遊技場のカウンタで、出玉数情報で示される出玉数を所定の変換率で貯玉数に変換し、貯玉数情報として会員カードに記録しておくことも可能である。この変換率は、本実施の形態の場合、パチンコ遊技機の機種により異なる。
【００５８】
また、玉返却スイッチ５８が操作されれば、計数表示部５５に表示されている計数値から、予め定められた返却単位玉個数分の計数値が引落されて減算され、それと引換えに、返却単位玉個数分の玉が、台間機２の内部に設けられている玉払出部から玉払出用のノズル２５１を介して打球供給皿（上皿）９２上に払出される。このように払出される玉を返却玉と呼ぶ。
【００５９】
台間機２における玉払出部からの玉の払出経路は、前述の貸玉用の通路と、前述の返却玉用の通路とが設けられており、これらの通路がノズル２５１の入口手前で合流する。これにより、ノズル２５１からは、貸玉と返却玉との両方の玉が払出されることとなる。貸玉払出用の通路には、ノズル２５１から払出された貸玉を検出するための貸玉検出スイッチ２５０が設けられている。また、返却玉払出用の通路には、ノズル２５１から払出された返却玉を検出するための返却玉検出スイッチ７００が設けられている。
【００６０】
遊技者が精算ボタン２７ｂを操作すると清算が行なわれる。遊技者により精算ボタン２７ｂが操作されると、前述した獲得玉検出スイッチ５０１による計数値の全てが景品交換のために精算される。その精算された計数値（すなわち、出玉数）等の情報は、カードリーダライタ（図示せず）により遊技用カードに書込まれる。出玉等の情報が書込まれた遊技用カードは、カード口２６ａから排出されて遊技者に返却される。
【００６１】
パチンコ遊技機１には、さらに、打球操作ハンドル９０の動作を検知する発射操作検出センサ６１０と、打玉が通過したか否かを判定する玉検出センサ６００とが設けられる。
【００６２】
発射操作検出センサ６１０は、打球操作ハンドル９０と電気的に接続されている。発射操作検出センサ６１０は、遊技者が、打球操作ハンドル９０を操作しているか否かを判定し、操作されていると判定した場合は、パチンコ遊技機１の内部に設けられた遊技制御用マイクロコンピュータ（図示せず）に発射操作検出信号を送信する。発射操作検出信号は、遊技者が打球操作ハンドル９０を操作していることを示す信号である。
【００６３】
玉検出センサ６００は、誘導レール６０２内の打玉の通過経路上に組み込まれる。玉検出センサ６００には、フォトセンサ等が用いられる。玉検出センサ６００は、誘導レール６０２上を打玉が通過したか否かを検知可能である。したがって、玉検出センサ６００は、遊技領域１０ａに打玉が打込まれているか否かを判定することができる。玉検出センサ６００は、打玉を検知すると、遊技制御用マイクロコンピュータへ発射玉検出信号を送信する。発射玉検出信号は、遊技領域１０ａに打玉が打込まれていることを示す信号である。
【００６４】
遊技において、打玉が、始動入賞領域１１ａに入賞した場合（始動入賞とも称する）には、打玉が始動入賞玉検出器（図示せず）により検出され、検出信号が遊技制御部として動作し、遊技制御用マイクロコンピュータに入力される。なお、始動入賞領域１１ａに入賞した打玉は始動入賞玉とも称する。始動入賞すると、変動表示装置１２の下部に設けられたＬＥＤ（Ｌｉｇｈｔ  Ｅｍｉｔｔｉｎｇ  Ｄｉｏｄｅ）で構成される始動記憶表示器６０５の４つのうち１つが点灯する。４つの始動記憶表示器６０５は１回の始動入賞ごとに点灯する数が１つ増える。なお、始動入賞の回数は、「４」を記憶数の上限としてパチンコ遊技機１の内部に設けられた記憶装置に記憶される。したがって、４つの始動記憶表示器６０５がすべて点灯している場合に、さらに始動入賞しても、４つの始動記憶表示器６０５は、すべて点灯したままとなる。また、始動記憶表示器６０５の点灯している状態を保留玉状態（以下においては、単に保留玉とも称する）ともいう。たとえば、始動記憶表示器６０５の点灯している数が３つの場合、保留玉が３つあることになる。したがって、本実施の形態においては、保留玉は最大で４つということになる。
【００６５】
遊技制御用マイクロコンピュータは、検出信号の入力を受けて、特定遊技状態としての大当り状態を発生させるか否かをランダムに決定する。同時に、遊技制御用マイクロコンピュータは、マイクロコンピュータにより制御される変動表示制御部（図示せず）へ変動表示制御を指令するための表示制御コマンドデータを出力する。変動表示制御部では、表示制御コマンドデータを受け、その指令内容にしたがって、変動表示装置１２を変動表示制御する。
【００６６】
詳細は後述するが、特定遊技状態とは、ランダムカウンタから抽出したカウント値により得られる乱数値を用いて判定処理（たとえば、所定値と一致するか否か等）を行ない、かかる判定処理の結果、予め定められた所定の判定結果（たとえば、所定値と一致する結果）であれば変動表示装置１２に大当り図柄（たとえば、「７７７」等のゾロ目）を導出表示し、その後移行される遊技状態をいう。
【００６７】
変動表示装置１２は、左変動表示部１２ａ、中変動表示部１２ｂおよび右変動表示部１２ｃの３つの変動表示部を有する。変動表示装置１２は、左変動表示部１２ａ、中変動表示部１２ｂおよび右変動表示部１２ｃの３つの変動表示部を利用して、数字等の図柄よりなる複数種類の識別情報を変動表示する。
【００６８】
変動表示装置１２においては、始動入賞に応じて各変動表示部が一斉に変動表示開始され、所定期間後に表示結果がすべて導出表示される。同時に、保留玉が１つ減少し、点灯している始動記憶表示器６０５が消灯する。すなわち、変動表示装置１２の変動表示が開始される毎に、点灯している始動記憶表示器６０５が消灯する。
【００６９】
変動表示装置１２の変動表示結果が予め定められた特定の表示態様の組合せ（たとえば「７７７」の図柄の組合せ）になった場合には、前述したような遊技者にとって有利な特定遊技状態としての大当り遊技状態が発生し、以下のような大当り制御が実行される。
【００７０】
まず、可変入賞球装置１３は、開成制御され、遊技者にとって有利な第１の状態となる。そして、第１の状態となった可変入賞球装置１３内に所定個数（たとえば１０個）の打玉が入賞するかまたは所定時間（３０秒間）経過するかのうちいずれか早い方の条件が成立することにより可変入賞球装置１３が閉成して遊技者にとって不利な第２の状態となる。当該第１の状態となっている可変入賞球装置１３内に入賞した打玉が所定箇所に形成されている特定入賞領域に入賞すれば、可変入賞球装置１３のその回の第１の状態が終了するのを待って可変入賞球装置１３を再度第１の状態に制御する繰返し継続制御が実行される。この繰返し継続制御の実行上限回数はたとえば１６回と定められている。
【００７１】
遊技制御用マイクロコンピュータは、乱数を発生させるためにカウントを行なうカウンタであるランダムカウンタから抽出したカウント値により得られる乱数を用いて各種の制御を行なう。遊技制御用マイクロコンピュータには、大当り判定用のランダムカウンタ、および、変動表示装置１２における停止図柄決定用のランダムカウンタ等の各種のランダムカウンタが用いられる。
【００７２】
始動入賞に応じて大当り判定用のランダムカウンタから当り外れ用乱数となるカウント値が抽出され、その抽出されたカウント値と、予め定められた大当り判定値とが比較される。そして、抽出されたカウント値と大当り判定値とが一致した場合に、大当り状態を発生させることが事前に決定される。また、始動入賞があった場合には、停止図柄決定用のランダムカウンタから停止図柄用乱数となるカウント値が抽出され、その抽出されたカウント値と予め対応関係にある図柄が予定停止図柄として事前決定され、その予定停止図柄が表示結果として表示されるように、変動表示制御が行なわれる。
【００７３】
遊技制御用マイクロコンピュータにより大当り状態を発生させることが事前決定されれば、表示制御部は、大当り状態を発生させるための特定の識別情報の組合せ（たとえばゾロ目の組合せ）となるように変動表示装置１２を停止制御する。このような特定の識別情報の組合せは、大当り図柄と呼ばれる。たとえば、大当り状態を発生させるための特定の識別情報の組合せがゾロ目の組合せの場合は、大当りを発生させる場合の中，右変動表示部の予定停止図柄が、左停止図柄決定用のランダムカウンタから抽出されたカウント値に基づいて決定された左変動表示部の予定停止図柄と同じ図柄に揃えられることによりゾロ目の組合せ、すなわち、大当り図柄とされる。
【００７４】
一方、遊技制御用マイクロコンピュータにより大当り状態を発生させないことが事前に決定されれば、左，中，右変動表示部のそれぞれの停止図柄決定用のランダムカウンタから抽出されたカウント値に基づいて、大当り状態の発生を示さない識別情報の組合せ（以下においては、「はずれ図柄」とも称する）となるように図柄が決定される。なお、大当り状態を発生させないことが事前に決定された場合に停止図柄決定用のランダムカウンタから抽出されたカウント値に対応する予定停止図柄が大当り図柄になってしまう場合には、予定停止図柄の一部が強制的にずらされることによりはずれ図柄にされる。
【００７５】
また、停止表示された図柄の組合わせが特別の図柄（確変図柄（たとえば、「１、３、５、７、９」等の奇数））の組合せである場合には、その大当りに基づく特定遊技状態の終了後に、パチンコ遊技機１は、通常時（通常遊技状態）に比べて大当りが発生する確率が高く変動した確率変動状態（特別遊技状態）になる。たとえば、通常遊技状態において、大当りが発生する確率が０．５パーセントである場合、確率変動状態では、大当りが発生する確率が１パーセントとなる。このような確率変動状態は、一般的に、「確変」と省略して呼ばれる場合もある。以下、確変図柄による大当りを確変大当りと称する。
【００７６】
通常遊技状態中に一旦、確変大当りが発生すると、少なくとも予め定められた確変継続回数（たとえば、次回まで）分の大当りが発生するまで確率変動状態に継続制御される。また、確率変動状態中に確変大当りが発生すれば、その確変大当り以降、改めて確変継続回数が計数され、その後、少なくとも確変継続回数だけ大当りが発生するまで確率変動状態が継続する。そして、確変継続回数に達した大当りが確変図柄以外の非確変図柄によるものであった場合には、確率変動の生じていない通常遊技状態に戻る。なお、以下においては、非確変図柄での組合せの大当りを通常の大当りとも称する。
【００７７】
したがって、確率変動状態の継続制御に制限を設けない場合には、少なくとも確変継続回数に達した大当りが確変大当りである限り、無制限に確率変動状態が継続する。本実施の形態におけるパチンコ遊技機１では、ある程度、確率変動状態が継続すれば、一旦、確率変動状態への継続制御を終了させるべく、確率変動状態中に確変大当りが連続的に発生する回数について、上限回数が設定されている。そして、この上限回数に基づいて大当りの表示態様が非確変図柄の組合せの場合には、その時点で確率変動状態の継続制御が強制的に終了する。なお、確変図柄での大当りを禁止する制限が行なわれることは、リミッタの作動と呼ばれる。
【００７８】
なお、特別遊技状態には、始動入賞率を向上させるとともに、図柄の変動時間を短縮させる変動時間短縮状態（省略して、時短状態または時短とも称される。）というものもある。パチンコ遊技機１が変動時間短縮状態になると、変動表示装置１２における変動表示の開始から終了までの時間が短縮される。たとえば、パチンコ遊技機１が通常遊技状態である場合、変動表示が開始されてから変動表示が終了するまでの時間が８秒である場合、変動時間短縮状態では、変動表示が開始されてから変動表示が終了するまでの時間が３秒と短縮される。したがって、所定時間内における変動表示装置１２の変動表示回数が増えるため、通常遊技状態よりも大当りが発生する確率が高くなる。
【００７９】
通常遊技状態で、大当りが発生し、当該大当りが確変大当りであれば、パチンコ遊技機１は確率変動状態になる。パチンコ遊技機１が、確率変動状態のときに、次の大当りが非確変で大当りの場合、当該大当りの終了後、時短状態となるのがハーフスペックといわれるパチンコ遊技機である。ハーフスペックのパチンコ遊技機では、時短状態中に、変動表示が所定回数（たとえば、１００回）以内に大当りが発生しなければ、通常遊技状態になる。
【００８０】
一方、通常遊技状態で、大当りが発生し、当該大当りが通常の大当りの場合、当該大当りの終了後、時短状態となるか、または、当該大当りが確変大当りの場合、確率変動状態となり、次の大当りが非確変で大当りのとき、当該大当りの終了後、時短状態となるのがフルスペックといわれるパチンコ遊技機である。フルスペックのパチンコ遊技機も、ハーフスペックのパチンコ遊技機と同様、時短状態中に、変動表示が所定回数（たとえば、１００回）以内に大当りが発生しなければ、通常遊技状態になる。
【００８１】
本実施の形態におけるパチンコ遊技機１は、ハーフスペックまたはフルスペックのどちらであってもよい。なお、パチンコ遊技機１が確率変動状態または時短状態の特別遊技状態において、大当りが連続して発生することを連チャンと称する。
【００８２】
なお、確変大当りが発生し、パチンコ遊技機１が確率変動状態になり、さらにその間に、通常の大当りが発生して時短状態になり、その後、通常遊技状態になるまでの期間を特別遊技状態期間とも称する。特別遊技状態期間中に通常の大当りまたは確変大当りが発生することも連チャンと称する。たとえば、特別遊技状態期間中に、最初の確変大当りを含めて大当りが５回発生した場合は、５連チャンとなる。
【００８３】
連チャンには、さらに、保留玉連チャンや数珠つなぎ連チャンと称されるものもある。保留玉連チャンは、大当りが発生してから変動表示装置１２の変動表示が始動記憶表示器６０５の数（本実施の形態では４つ、すなわち保留玉が４つ）だけ行なわれる間に、再度、大当りが発生した場合のことをいう。たとえば、保留玉連チャンにおいては、大当りが発生し、該大当りの発生による大当り遊技状態の終了後、変動表示装置１２の変動表示が４回以内である３回で大当りが発生し、該大当りの発生による大当り遊技状態の終了後、さらに変動表示が２回で、大当りが発生し、該大当りの発生による大当り遊技状態の終了後、変動表示が４回行なわれても、再度、大当りが発生しない場合は、３連チャンとなる。
【００８４】
一方、数珠つなぎ連チャンは、大当りが発生してから変動表示装置１２の変動表示が所定回数（たとえば、１００回）だけ行なわれる間に、再度、大当りが発生した場合のことをいう。たとえば、数珠つなぎ連チャンにおいては、大当りが発生し、該大当りの発生による大当り遊技状態の終了後、変動表示装置１２の変動表示が１００回以内である８０回で大当りが発生し、該大当りの発生による大当り遊技状態の終了後、さらに変動表示が９０回で、大当りが発生し、該大当りの発生による大当り遊技状態の終了後、変動表示が１００回行なわれても、再度、大当りが発生しない場合は、３連チャンとなる。
【００８５】
以下においては、特別遊技状態期間中の連チャン、保留玉連チャンおよび数珠つなぎ連チャンを単に連チャンとも称する。
【００８６】
次に、台間機２における主要な制御回路の構成について説明するとともに、台間機２および遊技場内での各種の情報管理を行なう管理装置を含む遊技用システム１０００の構成について説明する。
【００８７】
図３は、実施の形態１における台間機２の制御回路および遊技用システム１０００の構成を示すブロック図である。
【００８８】
図３を参照して、遊技用システム１０００は、パチンコ遊技機１と、パチンコ遊技機１に対応して設けられる台間機２と、遊技機設置島に配置された複数台のパチンコ遊技機１の遊技関連情報等の各種情報を管理する島管理コンピュータ７と、ホールに配置された複数の島管理コンピュータ７で管理されている複数のパチンコ遊技機１の遊技関連情報等の各種情報を管理する管理装置としてのホール管理コンピュータ８と、テレビ画像を表示させるための画像信号を複数の台間機２へ配信する画像配信装置４００とから構成される。
【００８９】
なお、本実施の形態においては、島管理コンピュータ７で、遊技機設置島ごとにパチンコ遊技機１の遊技関連情報等の各種情報を管理し、ホール管理コンピュータ８で、遊技場に設置された複数の島管理コンピュータ７を管理する構成としているが、これに限定されず、島管理コンピュータ７を介さず、ホール管理コンピュータ８で遊技場に設置された複数のパチンコ遊技機１の遊技関連情報等の各種情報を管理する構成としてもよい。
【００９０】
パチンコ遊技機１は、パチンコ遊技機１の内部に設けられた遊技制御用マイクロコンピュータ１０により、前述したような遊技に関する動作をさせるための遊技制御が行なわれる。パチンコ遊技機１においては、大当り中信号、スタート信号、確変中信号、発射玉検出信号および発射操作検出信号等の各種信号が、遊技制御用マイクロコンピュータ１０から入出力インタフェース１１を介して台間機２へ出力される。
【００９１】
大当り中信号は、大当り遊技状態が発生していることを特定可能な信号であり、大当り遊技状態中の期間においてアクティブ状態（たとえば、ハイレベル状態、以下同様）となる。スタート信号は、変動表示装置１２の変動表示（変動表示）が始動したことを特定可能な信号であり、変動表示がスタート（変動表示開始）されるごとにアクティブ状態となる。確変中信号は、確率変動状態が発生していることを特定可能な信号であり、確率変動状態中の期間においてアクティブ状態となる。発射玉検出信号は、玉検出センサ６００により遊技領域１０ａに打玉が打込まれている際にアクティブ状態となる。発射操作検出信号は、操作検出センサ６１０により遊技者が打球操作ハンドル９０を操作している際にアクティブ状態となる。
【００９２】
台間機２は、さらに、前述した大当り中信号、スタート信号、および、確変中信号の他に、貸玉検出信号、獲得玉検出信号、返却玉検出信号、および、精算信号を受ける。
【００９３】
貸玉検出信号は、貸玉の払出しが検出されたことを特定可能な信号であり、貸玉検出スイッチ２５０により貸玉の払出しが検出されるごとにアクティブ状態となる。獲得玉検出信号は、前述した獲得玉が検出されたことを特定可能な信号であり、獲得玉検出スイッチ５０１により獲得玉が検出されるごとにアクティブ状態となる。返却玉検出信号は、前述した返却玉が検出されたことを特定可能な信号であり、返却玉検出スイッチ７００により返却玉が検出されるごとにアクティブ状態となる。精算信号は、前述した精算が行なわれたことを特定可能な信号であり、精算ボタン２７ｂが操作されたときにアクティブ状態となる。
【００９４】
台間機２には、台間機制御用マイクロコンピュータ２０と、カードリードライタ２００と、表示部３と、タッチパネル２８とが設けられる。台間機制御用マイクロコンピュータ２０は、ＣＰＵ２１と、ＲＯＭ２２と、ＲＡＭ２３と、ＶＤＰ（Ｖｉｄｅｏ  Ｄｉｓｐｌａｙ  Ｐｒｏｃｅｓｓｏｒ）２４と、ＶＲＡＭ（Ｖｉｄｅｏ  Ｒａｎｄｏｍ  Ａｃｃｅｓｓ  Ｍｅｍｏｒｙ）２５と、キャラクタＲＯＭ２６とを含む。
【００９５】
ＣＰＵ２１は、ＲＯＭ２２に記憶された制御用のプログラムを読出すとともに、ＲＡＭ２３を作業領域として用いて制御用のプログラムを実行することにより、台間機２を動作させる各種制御を実行する。ＣＰＵ２１が実行する制御には、前述した玉の貸出しを行なうための貸出制御、パチンコ遊技機１の各種遊技関連情報を管理するための遊技関連情報管理制御、および、表示部３に表示する画像を指示すること等の表示制御が含まれる。ＣＰＵ２１が後述するような各種演出表示を行なう場合には、ＲＯＭ２２に記憶された複数の演出表示データから条件に応じて必要なデータを読出し、そのデータに基づいて演出表示を行なう画像表示制御を行なう。また、ＣＰＵ２１は、カードリーダライタ２００を制御して、前述した遊技用カードからカード残高および貯玉数情報を読出す処理、および、カード残高、貯玉数情報および出玉数情報を記録する処理を行なう。
【００９６】
ＣＰＵ２１は、前述したような貸玉検出信号、獲得玉検出信号、返却玉検出信号、精算信号、大当り中信号、スタート信号、確変中信号、発射玉検出信号および発射操作検出信号等の各種信号を、入出力インタフェース２９を介して受け、これらの信号に基づいて、パチンコ遊技機１に関する各種遊技関連情報を管理する処理を行なう。
【００９７】
ＶＤＰ２４は、表示部３に画像を表示させる制御を行なうためのＩＣ（集積回路）である。ＣＰＵ２１からＶＤＰ２４には、画像表示をするための指令データとしての表示制御データが送信される。ＶＤＰ２４は、受信した表示制御データに従った画像表示をするために、画像データが記憶されたキャラクタＲＯＭ２６から必要なデータを読出す。そして、ＶＤＰ２４は、読出したデータに従って表示部３に表示するための画像データを生成し、その画像データをＶＲＡＭ２５に格納する。そして、ＶＲＡＭ２５内の画像データは、Ｒ（赤），Ｇ（緑），Ｂ（青）信号（ＲＧＢ信号）に変換されて、ＬＣＤ（Ｌｉｑｕｉｄ  Ｃｒｙｓｔａｌ  Ｄｉｓｐｌａｙ）により構成される表示部３へ与えられる。これにより、台間機２において管理している各種遊技関連情報等の各種画像が表示される。また、遊技者によるタッチパネル２８の操作に応じた操作信号がＶＤＰ２４を介してＣＰＵ２１へ与えられる。ＣＰＵ２１では、タッチパネル２８から与えられた操作信号に応じて、遊技者の操作に応じた遊技関連情報等の画像を表示するための制御を行なう。
【００９８】
台間機２は、さらに、島管理コンピュータ７とデータの通信が可能なように接続されている。台間機２においては、台間機制御用マイクロコンピュータ２０が、データ通信のソフトウェアを実行してデータ通信を行なうデータ通信機能を有しており、入出力インタフェース２９を介して島管理コンピュータ７とデータの通信を行なう。島管理コンピュータ７は、対応する遊技機設置島内に配置されたすべての台間機２のすくなくとも１台から送信された情報をホール管理コンピュータ８へ送信する。島管理コンピュータ７は、さらに、ホール管理コンピュータ８から送信された情報を、対応する遊技機設置島内にあり、ホール管理コンピュータ８によって指示された台間機２へ送信する。すなわち、島管理コンピュータ７は、台間機２とホール管理コンピュータ８との間でデータ通信を可能とさせる情報中継器として動作する。
【００９９】
台間機２において管理されている各種遊技関連情報のすべては、ホール管理コンピュータ８からの要求に応じて、または、定期的に、島管理コンピュータ７を介して、遊技状態信号として、ホール管理コンピュータ８に与えられる。ホール管理コンピュータ８は、遊技場内のすべての島管理コンピュータ７とデータ通信が可能なので、各島管理コンピュータ７に対応する遊技機設置島内のすべてのパチンコ遊技機１の遊技関連情報等の各種情報を管理する。たとえば、ホール管理コンピュータ８は、各パチンコ遊技機１の遊技関連情報を台別に所定期間にわたり記憶し、各種情報についての管理を行なう。
【０１００】
また、ホール管理コンピュータ８において管理されている各種遊技関連情報は、台間機２からの要求に応じて、島管理コンピュータ７を介して台間機２に与えられる。
【０１０１】
ホール管理コンピュータ８には、島管理コンピュータ７と通信するための入出力インターフェース８４と、ホール管理コンピュータ８の全体を制御する制御部８０と、ホール管理コンピュータ８に所定の情報を入力するための入力部８５と、ホール管理コンピュータ８で処理された所定の情報を表示するための表示部８６と、ホール管理コンピュータ８で処理される所定の情報を記憶するための記憶部８７とが設けられている。
【０１０２】
制御部８０は、ＣＰＵ８１と、ＲＯＭ８２と、ＲＡＭ８３と、ＶＤＰ８０１と、ＶＲＡＭ８０２と、キャラクタＲＯＭ８０３とを含む。
【０１０３】
ＣＰＵ８１は、ＲＯＭ８２または記憶部８７に記憶された情報処理用のプログラムを読出すとともに、ＲＡＭ８３を作業領域として用いて情報処理用のプログラムを実行することにより、ホール管理コンピュータ８を動作させる各種情報処理を実行する。ＣＰＵ８１が実行する情報処理には、パチンコ遊技機１の遊技関連情報を集計する遊技関連情報集計処理、台間機２に設けられた表示部３に表示するための画像データを生成する画像データ生成処理、生成された画像データを台間機２に送信する画像データ送信処理が含まれる。
【０１０４】
ＶＤＰ８０１は、画像表示用のＩＣ（集積回路）である。ＣＰＵ８１からＶＤＰ８０１には、画像表示をするための指令データとしての表示制御データが送信される。ＶＤＰ８０１は、受信した表示制御データに従った画像表示をするために、画像データが記憶されたキャラクタＲＯＭ８０３から必要なデータを読出す。そして、ＶＤＰ８０１は、読出したデータに従って表示部８６に表示するための画像データを生成し、その画像データをＶＲＡＭ８０２に格納する。そして、ＶＲＡＭ８０２内の画像データは、Ｒ（赤），Ｇ（緑），Ｂ（青）信号（ＲＧＢ信号）に変換されて、表示部８６へ与えられる。これにより、表示部８６において管理している各種遊技関連情報等の各種画像が表示される。
【０１０５】
ホール管理コンピュータ８は、入出力インターフェース８４を介して、島管理コンピュータ７と各種の情報を送受信する。
【０１０６】
入力部８５には、キーボードやマウスを接続可能であり、ホール管理コンピュータ８（ＣＰＵ８１を含む制御部８０）に必要な情報を入力することができる。表示部８６は、液晶表示装置またはＣＲＴ（Ｃａｔｈｏｄｅ  Ｒａｙ  Ｔｕｂｅ）等のディスプレイであり、ＶＤＰ８０１に接続され、ホール管理コンピュータ８で管理される情報等の各種の情報を表示することができる。記憶部８７は、ハードディスクドライブ（ＨＤＤ）等の磁気ディスク記憶装置であり、ＣＰＵ８１を含む制御部８０に接続されている。記憶部８７としては、磁気ディスク記憶装置に代えて、光磁気ディスク記憶装置や、光ディスク等を用いることもできる。
【０１０７】
次に、台間機２に設けられている表示部３に表示される各種画面を説明する。
図４は、表示部３に表示されているテレビジョン画像５００を示す図である。
【０１０８】
図４を参照して、テレビジョン画像５００は、画像配信装置４００から配信された画像信号に基づいた画像の一例として、ニュース番組の画像である。遊技者は、台間機２に設けられているタッチパネル２８を操作して、好みのチャンネルに切り替えてテレビ番組を楽しむことができる。また、表示部３に表示されるテレビジョン画像５００は、テレビ番組だけに限られず、画像配信装置４００に入力されるビデオやＤＶＤ等の画像信号の画像であってもよい。
【０１０９】
図５は、他台で大当たりが発生した際に、表示部３に表示される画像を示す図である。
【０１１０】
図５を参照して、遊技者がテレビ番組等を視聴しているときに、他台で大当たりが発生した旨を示すアニメーション画像５１０が、テレビジョン画像５００とともに表示部３に表示される。アニメーション画像５１０には、さらに、連チャンの回数を示す連チャン回数画像５１５も同時に表示されている。
【０１１１】
図６は、遊技場からの宣伝公告を示す宣伝情報を遊技者に伝える際に、表示部３に表示される画像を示す図である。
【０１１２】
図６を参照して、遊技者がテレビ番組等を視聴しているときに、遊技場からの宣伝公告を示す宣伝情報画像５１７が、テレビジョン画像５００とともに表示部３に表示される。
【０１１３】
図７は、打球供給皿９２に打玉がなくなった際に、表示部３に表示される画像を示す図である。
【０１１４】
図７を参照して、遊技者がテレビ番組等の視聴しているときに、打球供給皿９２に打玉がなくなった旨を示す玉切れ画像５３０が、テレビジョン画像５００とともに表示部３に表示される。
【０１１５】
次に、本実施の形態の遊技用システム１０００におけるホール管理コンピュータ８の制御処理について説明する。
【０１１６】
図８は、ホール管理コンピュータ８がパチンコ遊技機１の遊技状態に応じて、ＣＰＵ８１により実行される遊技機状態管理処理の処理内容を示すフローチャートである。なお、ホール管理コンピュータ８と台間機２との間で授受される信号は、島管理コンピュータ７を介するものとする。
【０１１７】
図８を参照して、まず、ステップＳ（以下、単に「Ｓ」という）１００により各台間機２から遊技状態信号の入力があったか否かの判断がされる。なお、遊技状態信号には、大当たり（保留玉連チャン、数珠つなぎ連チャン、確率変動状態中に発生した大当りおよび変動時間短縮状態中に発生した大当り（すなわち、特別遊技状態期間中の連チャン）等）が発生したか否かを示す大当り情報、当該大当りがどの台で発生したかを示す台番号情報等が含まれる。Ｓ１００により、遊技状態信号の入力がなかったと判断された場合は、後述するＳ１５０に進む。一方、Ｓ１００により、遊技状態信号の入力があったと判断された場合は、Ｓ１１０に進み、遊技状態信号が大当り情報であるか否かが判断される。
【０１１８】
Ｓ１１０により、遊技状態信号が大当り情報でないと判断された場合は、この遊技機状態管理処理が終了し、リターンする。一方、Ｓ１１０により、遊技状態信号が大当り情報であると判断された場合は、Ｓ１２５に進み、当該大当り情報が連チャンに該当する情報か判断される。ここで、連チャンに該当する情報とは、上述した、保留玉連チャン、数珠つなぎ連チャン、特別遊技状態期間中の連チャン等の情報である。
【０１１９】
Ｓ１２５により、大当り情報が連チャンに該当する情報と判断された場合は、Ｓ１３０に進み、ＣＰＵ８１により、大当たりが発生した台番号情報の示すパチンコ遊技機１の当該連チャンの継続回数（継続回数情報とも称する）が集計される。台番号情報の示す台に対応する継続回数情報は、台番号情報とともにＲＡＭ８３に一時的に記憶される。したがって、連チャンの継続回数を集計する際には、台番号情報の示す台に対応する継続回数情報をＲＡＭ８３から読出し、たとえば、読出した連チャンの継続回数が２回であったら、“１”だけインクリメントし、連チャンの継続回数を３回とした継続回数情報を台番号情報とともにＲＡＭ８３に再度記憶させる。Ｓ１３０において所定処理が行なわれると、Ｓ１４０に進む。一方、Ｓ１２５により、大当り情報が連チャンに該当しない情報と判断された場合は、そのままＳ１４０に進む。
【０１２０】
Ｓ１４０では、大当り情報、台番号情報、継続回数情報の情報を含む遊技情報信号が、台番号情報の示す台番号以外の台に対応して設けられる台間機２へ出力される。
【０１２１】
前述したＳ１００により、遊技状態信号の入力がなかったと判断されて、Ｓ１５０に進んだ場合は、宣伝情報を出力するか否かが選択される。ここで、宣伝情報とは、例えば、遊技場からの遊技者に対しての宣伝広告や、お知らせ等の情報である。
【０１２２】
Ｓ１５０において、宣伝情報を出力しない場合、この遊技機状態管理処理が終了し、リターンする。一方、Ｓ１５０において、宣伝情報を出力する場合、Ｓ１６０に進み、宣伝情報を含む宣伝情報信号が各台間機２へ出力される。Ｓ１６０の後、この遊技機状態管理処理が終了し、リターンする。
【０１２３】
以上説明したように、ホール管理コンピュータ８は、複数台のパチンコ遊技機１の遊技状態を管理し、複数台のパチンコ遊技機１で、大当りが発生したときに、大当り情報、台番号情報、継続回数情報等の各種情報を当該大当りが発生した台以外の台に対応して設けられる台間機２へ出力する。さらに、ホール管理コンピュータ８は、宣伝情報を出力する場合、宣伝情報を含む宣伝情報信号を各台間機２へ出力する。
【０１２４】
次に、台間機２に含まれる台間機制御用マイクロコンピュータ２０により、図４〜図７に示されるような画像を表示部３に表示させる画像表示処理について説明する。
【０１２５】
図９は、台間機２に含まれる台間機制御用マイクロコンピュータ２０により実行される画像表示処理の処理内容を示すフローチャートである。
【０１２６】
図９を参照して、まず、Ｓ２００により、遊技者がテレビ番組、ビデオ、ＤＶＤ等の画像を視聴するために、遊技者がタッチパネル２８の映像切替操作を行なったか否かの判断がされる。なお、表示部３には、タッチパネル２８の操作により、前述の画像の他に、他台や自台の遊技関連情報を示す画像をみることもできる。
【０１２７】
Ｓ２００により、遊技者がテレビ番組、ビデオ、ＤＶＤ等の画像を視聴するために、遊技者がタッチパネル２８の映像切替操作を行なったと判断された場合は、Ｓ２１０に進む。Ｓ２１０では、台間機制御用マイクロコンピュータ２０に含まれるＶＤＰ２４が、入出力インタフェース２９を介して台間機制御用マイクロコンピュータ２０に入力される画像配信装置４００からの画像信号に基づいた画像を表示部３に表示させる制御を行なう。表示部３に表示される画像は、例えば、図４で示したテレビジョン画像５００である。Ｓ２１０において所定処理が行なわれると、Ｓ２２０に進む。
【０１２８】
一方、Ｓ２００により、遊技者がテレビ番組、ビデオ、ＤＶＤ等の画像を視聴するために、遊技者がタッチパネル２８の映像切替操作を行なっていないと判断された場合は、そのままＳ２２０に進む。
【０１２９】
Ｓ２２０では、ＣＰＵ２１により、入出力インタフェース２９を介して宣伝情報を含む宣伝情報信号の入力があったか否かが判断される。Ｓ２２０により、宣伝情報信号の入力があったと判断された場合は、Ｓ２３０に進む。一方、宣伝情報信号の入力がなかったと判断された場合は、後述するＳ２７０に進む。
【０１３０】
Ｓ２３０では、台間機制御用マイクロコンピュータ２０に含まれるＶＤＰ２４が、入出力インタフェース２９を介して台間機制御用マイクロコンピュータ２０に入力される宣伝情報信号に含まれる宣伝情報に基づいた画像を表示部３に表示させる制御を行なう。表示部３に表示される画像は、例えば、図６で示したテレビジョン画像５００とともに宣伝情報画像５１７が表示された画像である。Ｓ２３０において所定処理が行なわれると、Ｓ２４０に進む。
【０１３１】
前述したＳ２２０により、宣伝情報信号の入力がなかったと判断されて、Ｓ２７０に進んだ場合は、ＣＰＵ２１により、入出力インタフェース２９を介して大当り情報、台番号情報および継続回数情報の情報を含む遊技情報信号の入力があるか否か判断される。Ｓ２７０により、大当り情報、台番号情報および継続回数情報の情報を含む遊技情報信号の入力がないと判断された場合、後述するＳ２４０に進む。一方、Ｓ２７０により、大当り情報、台番号情報および継続回数情報の情報を含む遊技情報信号の入力があると判断された場合、Ｓ２８０に進む。
【０１３２】
Ｓ２８０では、台間機制御用マイクロコンピュータ２０に含まれるＶＤＰ２４が、入出力インタフェース２９を介して台間機制御用マイクロコンピュータ２０に入力される遊技情報信号に含まれる大当り情報、台番号情報および継続回数情報に基づいた画像を画像信号に基いたテレビジョン画像５００とともに表示部３に表示させる制御を行なう。表示部３に表示される画像は、例えば、図５で示したテレビジョン画像５００とともに大当りを状態を示すようなアニメーション画像５１０が表示された画像である。アニメーション画像５１０では、一例として、台番号情報により示される大当りが発生した台番号が表示される。また、アニメーション画像５１０には、さらに、継続回数情報により示される連チャンの回数を示す連チャン回数画像５１５も同時に表示されている。なお、ＶＤＰ２４により表示部３に表示される画像は、アニメーション画像５１０と連チャン回数画像５１５とが同時に表示されずに、テレビジョン画像５００およびアニメーション画像５１０が同時に表示された画像、または、テレビジョン画像５００および連チャン回数画像５１５が同時に表示された画像であってもよい。Ｓ２８０において所定処理が行なわれると、Ｓ２４０に進む。
【０１３３】
Ｓ２４０では、ＣＰＵ２１により、入出力インタフェース２９を介して遊技者が打球操作ハンドル９０を操作していることを示す発射操作検出信号の入力があるか否かが判断される。Ｓ２４０により、発射操作検出信号の入力がない、すなわち、遊技者が打球操作ハンドル９０を操作していないと判断された場合、この画像表示処理が終了し、リターンする。一方、Ｓ２４０により、発射操作検出信号の入力がある、すなわち、遊技者が打球操作ハンドル９０を操作していると判断された場合、Ｓ２５０に進む。
【０１３４】
Ｓ２５０では、ＣＰＵ２１により、入出力インタフェース２９を介して遊技領域１０ａに打玉が打込まれていることを示す発射玉検出信号の入力があるか否かが判断される。Ｓ２５０により、発射玉検出信号の入力がある、すなわち、遊技領域１０ａに打玉が打込まれていると判断された場合、この画像表示処理が終了し、リターンする。一方、Ｓ２５０により、発射玉検出信号の入力がない、すなわち、遊技領域１０ａに打玉が打込まれていないと判断された場合、Ｓ２６０に進む。Ｓ２６０に進むということは、遊技者が打球操作ハンドル９０を操作している遊技中にも関わらず、遊技領域１０ａに打玉が打込まれていないとＣＰＵ２１により判断されたことになる。すなわち、パチンコ遊技機１が打球供給皿９２に打玉がなくなった玉切れ状態であるということになる。
【０１３５】
Ｓ２６０では、台間機制御用マイクロコンピュータ２０に含まれるＶＤＰ２４が、パチンコ遊技機１が玉切れ状態であることに基づいた画像をテレビジョン画像５００とともに表示部３に表示させる制御を行なう。表示部３に表示される画像は、例えば、図７で示したテレビジョン画像５００とともに玉切れ画像５３０が表示された画像である。Ｓ２６０の後、この画像表示処理が終了し、リターンする。
【０１３６】
次に、本実施の形態により得られる主な効果を説明する。
図５を参照して、遊技者がテレビ番組等を視聴しているときに、表示部３にテレビジョン画像５００とともに他台で大当たりが発生した旨を示すアニメーション画像５１０が表示されるので、遊技者は、テレビを見ながらでも、他台の大当り情報をリアルタイムに知ることができる。
【０１３７】
また、さらに、遊技者がテレビ番組等を視聴しているときに、表示部３にテレビジョン画像５００とともに他台で発生した連チャンの継続回数を示す連チャン回数画像５１５も同時に表示されるので、遊技者は、テレビを見ながらでも、他台のより詳細な大当りの情報（保留玉連チャン、数珠つなぎ連チャン、確率変動状態中に発生した大当り、変動時間短縮状態中に発生した大当り、特別遊技状態期間中の連チャン等）をリアルタイムに知ることができる。
【０１３８】
また、図６を参照して、遊技者がテレビ番組等を視聴しているときに、遊技場側が、遊技者に対して宣伝広告やお知らせ等の宣伝情報を知らせたいときに、表示部３にテレビジョン画像５００とともに当該宣伝情報を示す宣伝情報画像５１７も同時に表示されるので、遊技者は、テレビを見ながらでも、遊技場の宣伝広告やお知らせ等をリアルタイムに知ることができる。
【０１３９】
また、図７を参照して、遊技者がテレビ番組等の視聴に夢中になって、打球供給皿９２に打玉がなくなったことに気づかなくても、表示部３にテレビジョン画像５００とともに玉切れ状態であるということを示す玉切れ画像５３０も同時に表示されるので、遊技者に打玉の補充を促すことができる。その結果、パチンコ遊技機の稼働率の低下を抑制することができる。
【０１４０】
［実施の形態２］
実施の形態１では、台間機２に入力されるテレビ画像等を表示させるための画像信号とホール管理コンピュータ８から入力される各種情報を含んだ信号とに基づいて、台間機２側で、表示部３に表示させる画像を処理していた。本実施の形態では、台間機２側ではなく、ホール管理コンピュータ側であらかじめ、各種情報に基づいた画像とテレビ画像等を合成した信号を生成し、台間機２では、当該信号を受信して、表示部３に表示させるという遊技用システムの構成を説明する。
【０１４１】
図１０は、本発明に係る遊技用装置が設けられている遊技場内における遊技用システム１０００ａの構成を示す概念図である。
【０１４２】
図１０を参照して、実施の形態２における遊技用システム１０００ａは、図１に示す実施の形態１における遊技用システム１０００と比較して、画像配信装置４００から配信される画像信号が各台間機２の代わりにホール管理コンピュータ８へ入力される点と、ホール管理コンピュータ８から島管理コンピュータ（図示せず）を介して、各台間機２へ情報合成画像信号が配信される点と、宣伝情報信号が各台間機２へ入力されない点が異なる。それ以外の構成は、遊技用システム１０００と同様なので詳細な説明は繰り返さない。なお、ホール管理コンピュータ８は、島管理コンピュータを介することなく、各台間機２と上述の信号の授受を行なってもよい。
【０１４３】
図１１は、実施の形態２における遊技用システム１０００ａの構成を示すブロック図である。
【０１４４】
図１１を参照して、実施の形態２における遊技用システム１０００ａは、図３に示す実施の形態１における遊技用システム１０００と比較して、画像配信装置４００から配信される画像信号が各台間機２の代わりにホール管理コンピュータ８へ入力される点と、ホール管理コンピュータ８からの情報合成画像信号が島管理コンピュータ７を介して各台間機２へが配信される点と、宣伝情報信号が各台間機２へ入力されない点と、パチンコ遊技機１から出力される発射玉検出信号および発射操作検出信号が各台間機２へ入力されるのではなく、ホール管理コンピュータ８へ入力される点が異なる。それ以外の構成は、遊技用システム１０００と同様なので詳細な説明は繰り返さない。
【０１４５】
次に、本実施の形態の遊技用システム１０００ａにおけるホール管理コンピュータ８の制御処理について説明する。
【０１４６】
図１２は、ホール管理コンピュータ８がパチンコ遊技機１の遊技状態に応じて、制御部８０により実行される遊技状態画像生成処理の処理内容を示すフローチャートである。なお、ホール管理コンピュータ８と台間機２との間で授受される信号は、島管理コンピュータ７を介するものとする。
【０１４７】
図１２を参照して、まず、Ｓ３００では、画像配信装置４００から各台間機２に配信するための画像信号が、入出力インターフェース８４を介して入力される。そして、Ｓ３１０に進む。
【０１４８】
Ｓ３１０では、ＣＰＵ８１により、各台間機２から遊技状態信号の入力があったか否かの判断がされる。なお、遊技状態信号には、実施の形態１と同様に、大当たり（保留玉連チャン、数珠つなぎ連チャン、確率変動状態中に発生した大当りおよび変動時間短縮状態中に発生した大当り（すなわち、特別遊技状態期間中の連チャン）等）が発生したか否かを示す大当り情報、当該大当りがどの台で発生したかを示す台番号情報等が含まれる。Ｓ３１０により、遊技状態信号の入力がなかったと判断された場合は、後述するＳ３７０に進む。一方、Ｓ３１０により、遊技状態信号の入力があったと判断された場合は、Ｓ３１５に進み、ＣＰＵ８１により、遊技状態信号が大当り情報であるか否かが判断される。
【０１４９】
Ｓ３１５により、遊技状態信号が大当り情報でないと判断された場合は、後述するＳ３９７に進む。一方、Ｓ３１５により、遊技状態信号が大当り情報であると判断された場合は、Ｓ３２５に進み、ＣＰＵ８１により、当該大当り情報が連チャンに該当する情報か判断される。ここで、連チャンに該当する情報とは、上述した、保留玉連チャン、数珠つなぎ連チャン、特別遊技状態期間中の連チャン等の情報である。
【０１５０】
Ｓ３２５により、大当り情報が連チャンに該当する情報と判断された場合は、Ｓ３３０に進み、ＣＰＵ８１により、大当たりが発生した台番号情報の示すパチンコ遊技機１の当該連チャンの継続回数（継続回数情報とも称する）が集計される。台番号情報の示す台に対応する継続回数情報は、台番号情報とともにＲＡＭ８３に一時的に記憶される。したがって、連チャンの継続回数を集計する際には、台番号情報の示す台に対応する継続回数情報をＲＡＭ８３から読出し、たとえば、読出した連チャンの継続回数が２回であったら、“１”だけインクリメントし、連チャンの継続回数を３回とした継続回数情報を台番号情報とともにＲＡＭ８３に再度記憶させる。Ｓ３３０において所定処理が行なわれると、Ｓ３４０に進む。一方、Ｓ３２５により、大当り情報が連チャンに該当しない情報と判断された場合は、そのままＳ３４０に進む。
【０１５１】
Ｓ３４０では、ＶＤＰ８０１により、大当り情報、台番号情報、継続回数情報に基づいて図５に示すような大当り状態を示すようなアニメーション画像５１０が生成される。また、Ｓ３４０では、さらに、ＶＤＰ８０１により、大当り情報、台番号情報、継続回数情報に基づいて継続回数情報により示される連チャンの回数を示す連チャン回数画像５１５も生成される。Ｓ３４０において所定処理が行なわれると、Ｓ３５０に進む。
【０１５２】
Ｓ３５０では、ＶＤＰ８０１により、図５に示すようなテレビジョン画像５００とアニメーション画像５１０とが同時に表示された合成画像が生成される。また、Ｓ３５０では、さらに、ＶＤＰ８０１により、図５に示すようなテレビジョン画像５００と連チャン回数画像５１５とが同時に表示された合成画像が生成される。なお、ＶＤＰ８０１により生成される合成画像は、図５に示すようなテレビジョン画像５００、アニメーション画像５１０および連チャン回数画像５１５が同時に表示された画像であってもよい。Ｓ３５０において所定処理が行なわれると、Ｓ３６０に進む。
【０１５３】
Ｓ３６０では、ＣＰＵ８１により、Ｓ３５０にて生成された合成画像に基づいた情報合成画像信号が生成され、入出力インタフェース８４および島管理コンピュータ７を介して、台番号情報の示す台番号以外の台に対応して設けられる台間機２へ出力される。そして、遊技状態画像生成処理が終了し、リターンする。
【０１５４】
前述したＳ３１０により、遊技状態信号の入力がなかったと判断されて、Ｓ３７０に進んだ場合は、ＣＰＵ８１により、宣伝情報を出力するか否かが選択される。ここで、宣伝情報とは、例えば、遊技場からの遊技者に対しての宣伝広告や、お知らせ等の情報である。Ｓ３７０において、宣伝情報を出力しない場合、後述するＳ３７１へ進む。一方、Ｓ３７０において、宣伝情報を出力する場合、Ｓ３８０に進む。
【０１５５】
Ｓ３８０では、ＶＤＰ８０１により、宣伝情報に基づいて図６に示すような宣伝情報画像５１７が生成される。Ｓ３８０において所定処理が行なわれると、Ｓ３９０に進む。
【０１５６】
Ｓ３９０では、ＶＤＰ８０１により、図６に示すようなテレビジョン画像５００と宣伝情報画像５１７とが同時に表示された合成画像が生成される。Ｓ３９０において所定処理が行なわれると、Ｓ３９５に進む。
【０１５７】
Ｓ３９５では、ＣＰＵ８１により、Ｓ３９０にて生成された合成画像に基づいた情報合成画像信号が生成され、入出力インタフェース８４を介して、各台間機２へ出力される。そして、遊技状態画像生成処理が終了し、リターンする。
【０１５８】
前述したＳ３７０において、宣伝情報を出力しないとされ、Ｓ３７１に進んだ場合は、ＣＰＵ８１により、入出力インタフェース８４を介して遊技者が打球操作ハンドル９０を操作していることを示す発射操作検出信号の入力があるか否かが判断される。Ｓ３７１により、発射操作検出信号の入力がない、すなわち、遊技者が打球操作ハンドル９０を操作していないと判断された場合、後述するＳ３９７へ進む。一方、Ｓ３７１により、発射操作検出信号の入力がある、すなわち、遊技者が打球操作ハンドル９０を操作していると判断された場合、Ｓ３７２に進む。
【０１５９】
Ｓ３７２では、ＣＰＵ８１により、入出力インタフェース８４を介して遊技領域１０ａに打玉が打込まれていることを示す発射玉検出信号の入力があるか否かが判断される。Ｓ３７２により、発射玉検出信号の入力がある、すなわち、遊技領域１０ａに打玉が打込まれていると判断された場合、後述するＳ３９７へ進む。一方、Ｓ３７２により、発射玉検出信号の入力がない、すなわち、遊技領域１０ａに打玉が打込まれていないと判断された場合、Ｓ３７３に進む。Ｓ３７３に進むということは、遊技者が打球操作ハンドル９０を操作している遊技中にも関わらず、遊技領域１０ａに打玉が打込まれていないとＣＰＵ８１により判断されたことになる。すなわち、パチンコ遊技機１が打球供給皿９２に打玉がなくなった玉切れ状態であるということになる。なお、発射操作検出信号および発射玉検出信号の検出処理は、遊技場内の全てのパチンコ遊技機１に対応して設けられている台間機２に対して行なわれる。
【０１６０】
Ｓ３７３では、ＶＤＰ８０１により、玉切れ状態であるという情報に基づいて図７に示すような玉切れ画像５３０が生成される。Ｓ３７３において所定処理が行なわれると、Ｓ３７４に進む。
【０１６１】
Ｓ３７４では、ＶＤＰ８０１により、図７に示すようなテレビジョン画像５００と玉切れ画像５３０とが同時に表示された合成画像が生成される。Ｓ３７４において所定処理が行なわれると、Ｓ３７５に進む。
【０１６２】
Ｓ３７５では、ＣＰＵ８１により、Ｓ３７４にて生成された合成画像に基づいた情報合成画像信号が生成され、入出力インタフェース８４および島管理コンピュータ７を介して、玉切れ状態となったパチンコ遊技機１の全てに対応して設けられる台間機２へ出力される。そして、遊技状態画像生成処理が終了し、リターンする。
【０１６３】
前述したＳ３１５により、遊技状態信号が大当り情報でないと判断された場合、前述したＳ３７１により、発射操作検出信号の入力がないと判断された場合および前述したＳ３７２により、発射玉検出信号の入力があると判断された場合において、Ｓ３９７へ進んだ場合は、ＣＰＵ８１により、所定画像（たとえば、テレビジョン画像５００）を表示するための画像信号が、入出力インタフェース８４および島管理コンピュータ７を介して、各台間機２へ出力される。そして、遊技状態画像生成処理が終了し、リターンする。なお、上述した情報合成画像信号には、上述の所定画像を表示させるための画像信号も含まれるとする。
【０１６４】
次に、台間機２の台間機制御用マイクロコンピュータ２０により、図４〜図７に示されるような画像を表示部３に表示させる入力画像表示処理について説明する。
【０１６５】
図１３は、台間機２に含まれる台間機制御用マイクロコンピュータ２０により実行される入力画像表示処理の処理内容を示すフローチャートである。
【０１６６】
図１３を参照して、まず、Ｓ４００では、ＣＰＵ２１により、ホール管理コンピュータ８から島管理コンピュータ７を介して、情報合成画像信号が入出力インタフェース２９に入力されたか否かが判断される。Ｓ４００により、情報合成画像信号が入出力インタフェース２９に入力されていないと判断された場合、この入力画像表示処理が終了し、リターンする。一方、Ｓ４００により、情報合成画像信号が入出力インタフェース２９に入力されたと判断された場合、Ｓ４１０に進む。
【０１６７】
Ｓ４１０では、台間機制御用マイクロコンピュータ２０に含まれるＶＤＰ２４が、入出力インタフェース２９を介して台間機制御用マイクロコンピュータ２０に入力される情報合成画像信号に基づいた画像を表示部３に表示させる制御を行なう。したがって、表示部３には、情報合成画像信号に応じて、図４に示すようなテレビジョン画像５００、図５に示すようなテレビジョン画像５００とアニメーション画像５１０とが同時に表示された合成画像またはテレビジョン画像５００と連チャン回数画像５１５とが同時に表示された合成画像、図６に示すようなテレビジョン画像５００と宣伝情報画像５１７とが同時に表示された合成画像、図７に示すようなテレビジョン画像５００と玉切れ画像５３０とが同時に表示された合成画像等が表示される。Ｓ４１０の後、この入力画像表示処理が終了し、リターンする。
【０１６８】
上述した、実施の形態２における遊技用システム１０００ａにおいては、実施の形態１のように台間機２側ではなく、ホール管理コンピュータ側であらかじめ、各種情報に基づいた画像とテレビ画像等を合成した信号を生成し、台間機２では、当該信号を受信して、表示部３に表示させるという遊技用システムの構成であるが、実施の形態１における遊技用システム１０００と同様な技術的効果を得ることができる。
【０１６９】
次に、本発明の変形例等の特徴点を列挙する。
（１）  前述した実施の形態に示される台間機２は、パチンコ遊技機１のみならず、スロットマシン等のその他の遊技機にも適用可能であるが、台間機２をスロットマシンに適用する場合、各種技術事項が次のような対応関係となる。
【０１７０】
前記遊技媒体は、コインである。前記特定遊技状態は、ビッグボーナスゲームである。前記計数信号は、コイン払出信号、コイン使用信号である。前記獲得玉は、コイン払出信号に基づいて計数されるコイン払出数と、コイン使用信号に基づいて計数されるコイン使用数との差数により演出される。
【０１７１】
（２）  前述した実施の形態においては、出玉数を精算のために計数した玉数、精算のための計数値から返却した玉数、および、貸出された玉数を用いて遊技者が獲得した玉数である出玉数を演算した。しかし、これに限らず、出玉数は、入賞に応じて払出された玉、および、遊技領域に打込まれた玉（消費された玉）をそれぞれ検出し、それぞれの検出信号に基づいて、払出された玉と打込まれた玉との差数を演算することにより求めてもよい。
【０１７２】
（３）  前述した実施の形態においては、台間機２がパチンコ遊技機１における出玉数を、貸玉検出信号、獲得玉検出信号、および、返却玉検出信号に基づいて演算する例を示したが、これに限らず、パチンコ遊技機１における出玉数は、台間機２がホール管理コンピュータ８のような管理装置から対応するパチンコ遊技機１での出玉のデータを受けて認識するようにしてもよい。また、パチンコ遊技機１における出玉数は、台間機２が前記管理装置から対応するパチンコ遊技機１での玉の使用数のデータおよび玉の払出数のデータを受けて演算により求めるようにしてもよい。
【０１７３】
（４）  前述した実施の形態に示した台間機２は、実施の形態に示されたパチンコ遊技機のみならず、内部に封入された玉を用いて遊技が行なわれる封入式のパチンコ遊技機にも適用可能であり、また、前述したような各台計数機５が設けられていないパチンコ遊技機にも適用可能である。
【０１７４】
（５）  前述した実施の形態に示された遊技関連情報の表示は、遊技機に１対１の対応関係で対応して設けられたいわゆる呼出装置４（呼出ランプ等により係員を呼出す機能を有する装置）に、前述した制御回路および表示装置を設けて行なうようにしてもよい。また、前述した実施の形態に示された遊技関連情報の表示は、遊技場内に設けられ、遊技関連情報等の各種の情報を遊技者に提供するキオスク端末の表示装置において行なうようにしてもよい。
【０１７５】
（６）  今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明に係る遊技用装置が設けられている遊技場内における遊技用システムの構成を示す概念図である。
【図２】実施の形態１における遊技用装置の一例としての台間機および遊技機の一例としてのパチンコ遊技機の正面図である。
【図３】実施の形態１における台間機の制御回路および遊技用システムの構成を示すブロック図である。
【図４】表示部に表示されているテレビジョン画像を示す図である。
【図５】他台で大当たりが発生した際に、表示部に表示される画像を示す図である。
【図６】遊技場からの宣伝公告を示す宣伝情報を遊技者に伝える際に、表示部３に表示される画像を示す図である。
【図７】打球供給皿に打玉がなくなった際に、表示部に表示される画像を示す図である。
【図８】ホール管理コンピュータ８がパチンコ遊技機１の遊技状態に応じて、ＣＰＵ２１により実行される遊技機状態管理処理の処理内容を示すフローチャートである。
【図９】台間機に含まれる台間機制御用マイクロコンピュータにより実行される画像表示処理の処理内容を示すフローチャートである。
【図１０】本発明に係る遊技用装置が設けられている遊技場内における遊技用システムの構成を示す概念図である。
【図１１】実施の形態２における遊技用システムの構成を示すブロック図である。
【図１２】ホール管理コンピュータがパチンコ遊技機の遊技状態に応じて、制御部により実行される遊技状態画像生成処理の処理内容を示すフローチャートである。
【図１３】台間機に含まれる台間機制御用マイクロコンピュータにより実行される入力画像表示処理の処理内容を示すフローチャートである。
【符号の説明】
１  パチンコ遊技機、２  台間機、３  表示部、７，  島管理コンピュータ、２９，８４  入出力インタフェース、２０  台間機制御用マイクロコンピュータ、２１，８１  ＣＰＵ、２４，８０１  ＶＤＰ、８  ホール管理コンピュータ、４００  画像配信装置、１０００，１０００ａ  遊技用システム。
【図１】
2004275600.tif 000003
【図２】
2004275600.tif 000004
【図３】
2004275600.tif 000005
【図４】
2004275600.tif 000006
【図５】
2004275600.tif 000007
【図６】
2004275600.tif 000008
【図７】
2004275600.tif 000009
【図８】
2004275600.tif 000010
【図９】
2004275600.tif 000011
【図１０】
2004275600.tif 000012
【図１１】
2004275600.tif 000013
【図１２】
2004275600.tif 000014
【図１３】
2004275600.tif 000015